(57)【要約】  無線通信システムにおける装置及び方法、並びにコンピュータ可読記憶媒体を開示している。当該方法は、少なくともリソース集合配置情報、物理チャネル情報及びサービスタイプ情報のうち１つ又は複数に基づいて、サイドリンク通信に使用される１つ又は複数のパラメータセットの配置情報を確定すること（Ｓ１２０１）と、確定された１つ又は複数のパラメータセットの配置情報をユーザー装置に送信するように基地局を制御して、ユーザー装置が１つ又は複数のパラメータセットに基づいてサイドリンク通信を実行するようにすること（Ｓ１２０２）と、を含み、パラメータセットには少なくともサブキャリア間隔及びサイクリックプレフィックスタイプが含まれる。当該方法は、ＮＲにおけるサイドリンク通信に対して、使用のパラメータセットを柔軟に配置するため、サイドリンク通信の通信パフォーマンスを向上させ、遅延やシステム安定性などの一連の指標に対するＮＲシーンのより高い要求を満たすことができる。
2021508967.tif 000002
【特許請求の範囲】
【請求項１】
無線通信システムにおける装置であって、
前記装置は、処理回路を含み、
前記処理回路は、
少なくともリソース集合配置情報、物理チャネル情報及びサービスタイプ情報のうち１つ又は複数に基づいて、サイドリンク通信に使用される１つ又は複数のパラメータセットの配置情報を確定し、
前記配置情報をユーザー装置に送信するように基地局を制御して、前記ユーザー装置が前記１つ又は複数のパラメータセットに基づいて前記サイドリンク通信を実行するようにする、
ように配置され、
パラメータセットには、少なくともサブキャリア間隔及びサイクリックプレフィックスタイプが含まれる装置。
【請求項２】
前記処理回路はさらに、
前記配置情報を上位層シグナリングに含めて、前記配置情報を前記ユーザー装置に送信するように前記基地局を制御する、
ように配置される請求項１に記載の装置。
【請求項３】
前記処理回路はさらに、
前記配置情報を前記リソース集合配置情報に関連付けて前記ユーザー装置に送信するように前記基地局を制御する、
ように配置される請求項１に記載の装置。
【請求項４】
前記処理回路はさらに、
前記ユーザー装置からの少なくとも前記ユーザー装置の移動速度、チャネルビジー率、チャネル占用率及び前記サイドリンク通信のデータサービス優先度のうち１つ又は複数に関する情報に基づいて、前記１つ又は複数のパラメータセットから前記サイドリンク通信に使用されるパラメータセットを選択し、
選択されたパラメータセットを前記ユーザー装置に送信するように前記基地局を制御して、前記ユーザー装置が選択されたパラメータセットに基づいて前記サイドリンク通信を実行するようにする、
ように配置される請求項１に記載の装置。
【請求項５】
前記処理回路はさらに、
選択されたパラメータセットを物理層シグナリングに含めて、選択されたパラメータセットを前記ユーザー装置に送信するように前記基地局を制御する、
ように配置される請求項４に記載の装置。
【請求項６】
前記サイドリンク通信のデータサービス優先度に関する情報は、前記ユーザー装置からのリソース配置要求に含まれる、
請求項４に記載の装置。
【請求項７】
前記処理回路はさらに
前記サイドリンク通信がキャリアアグリゲーション通信である場合に、前記キャリアアグリゲーション通信における各コンポーネントキャリアに対して、前記１つ又は複数のパラメータセットからパラメータセットを選択する、
ように配置される請求項４に記載の装置。
【請求項８】
前記サイドリンク通信には、少なくとも車両のインターネット通信、装置間通信、マシン型通信、ドローン通信及びキャリアアグリゲーション通信が含まれる、
請求項１に記載の装置。
【請求項９】
パラメータセットには、サブフレーム内のタイムスロットの数、タイムスロット内のＯＦＤＭシンボルの数、及びフレーム内のタイムスロットの数のうち１つ又は複数がさらに含まれる、
請求項１に記載の装置。
【請求項１０】
前記装置は、前記基地局として機能し、前記装置は、通信動作を実行するように配置される通信ユニットをさらに含む、
請求項１〜９のいずれか１項に記載の装置。
【請求項１１】
無線通信システムにおける装置であって、
前記装置は、処理回路を含み、
前記処理回路は、
サイドリンク通信に使用される１つ又は複数のパラメータセットを取得し、
前記１つ又は複数のパラメータセットに基づいて前記サイドリンク通信を実行するようにユーザー装置を制御する、
ように配置され、
前記１つ又は複数のパラメータセットは、基地局からの配置情報に基づいて確定されるか又は予め配置されており、パラメータセットには少なくともサブキャリア間隔及びサイクリックプレフィックスタイプが含まれる装置。
【請求項１２】
前記処理回路さらに、前記基地局からの前記配置情報を含む上位層シグナリングを復号化することによって前記１つ又は複数のパラメータセットを取得するように配置され、
前記１つ又は複数のパラメータセットは、前記基地局が少なくともリソース集合配置情報、物理チャネル情報及びサービスタイプ情報のうち１つ又は複数に基づいて確定する、  請求項１１に記載の装置。
【請求項１３】
前記処理回路はさらに、
少なくとも前記ユーザー装置の移動速度、チャネルビジー率、チャネル占用率及び前記サイドリンク通信のデータサービス優先度のうち１つ又は複数に関する情報を前記基地局に送信するように前記ユーザー装置を制御して、前記基地局により当該情報に基づいて前記１つ又は複数のパラメータセットから前記サイドリンク通信に使用されるパラメータセットを選択するようにし、
前記基地局によって選択されたパラメータセットに基づいて前記サイドリンク通信を実行するように前記ユーザー装置を制御する、
ように配置される請求項１２に記載の装置。
【請求項１４】
前記処理回路はさらに、
前記基地局からの物理層シグナリングを復号化することによって、前記基地局によって選択されたパラメータセットを取得する、
ように配置される請求項１３に記載の装置。
【請求項１５】
前記処理回路はさらに、
少なくとも前記ユーザー装置の移動速度、チャネルビジー率、チャネル占用率及び前記サイドリンク通信のデータサービス優先度のうち１つ又は複数に関する情報に基づいて、前記１つ又は複数のパラメータセットから前記サイドリンク通信に使用されるパラメータセットを選択し、
選択されたパラメータセットに基づいて前記サイドリンク通信を実行するように前記ユーザー装置を制御する、
ように配置される請求項１１又は１２に記載の装置。
【請求項１６】
前記処理回路はさらに、
前記１つ又は複数のパラメータセットが予め配置される場合に、少なくともリソース集合配置情報、物理チャネル情報及びサービスタイプ情報のうち１つ又は複数にも基づいて、前記１つ又は複数のパラメータセットから前記サイドリンク通信に使用されるパラメータセットを選択する、
ように配置される請求項１５に記載の装置。
【請求項１７】
前記処理回路はさらに、
前記サイドリンク通信に関する他の装置の関連情報にも基づいて、前記１つ又は複数のパラメータセットから前記サイドリンク通信に使用される前記パラメータセットを選択する、
ように配置される請求項１５に記載の装置。
【請求項１８】
前記処理回路はさらに、
前記サイドリンク通信がキャリアアグリゲーション通信である場合に、前記キャリアアグリゲーション通信における各コンポーネントキャリアに対して、前記１つ又は複数のパラメータセットからパラメータセットを選択する、
ように配置される請求項１５に記載の装置。
【請求項１９】
前記処理回路はさらに、
選択されたパラメータセットをサイドリンク制御情報に含めて、前記サイドリンク制御情報を他の装置に送信するように前記ユーザー装置を制御する、
ように配置される請求項１３〜１８のいずれか１項に記載の装置。
【請求項２０】
前記処理回路はさらに、
他の装置からのサイドリンク制御情報を復号化することによって、他の装置がサイドリンク通信に使用するパラメータセットを取得し、
取得された前記他の装置のパラメータセットに基づいて、前記他の装置からの情報を受信するように前記ユーザー装置を制御する、
ように配置される請求項１１に記載の装置。
【請求項２１】
前記サイドリンク通信には、少なくとも車両のインターネット通信、装置間通信、マシン型通信、ドローン通信及びキャリアアグリゲーション通信がさらに含まれる、
請求項１１に記載の装置。
【請求項２２】
パラメータセットには、サブフレーム内のタイムスロットの数、タイムスロット内のＯＦＤＭシンボルの数及びフレーム内のタイムスロットの数のうち１つ又は複数がさらに含まれる、
請求項１１に記載の装置。
【請求項２３】
前記装置は前記ユーザー装置として機能し、前記装置は、通信動作を実行するように配置される通信ユニットをさらに含む、
請求項１１に記載の装置。
【請求項２４】
無線通信システムにおける方法であって、
少なくともリソース集合配置情報、物理チャネル情報及びサービスタイプ情報のうち１つ又は複数に基づいて、サイドリンク通信に使用される１つ又は複数のパラメータセットの配置情報を確定することと、
前記配置情報をユーザー装置に送信するように基地局を制御して、前記ユーザー装置が前記１つ又は複数のパラメータセットに基づいて前記サイドリンク通信を実行するようにすることと、
を含み、
パラメータセットには少なくともサブキャリア間隔及びサイクリックプレフィックスタイプが含まれる方法。
【請求項２５】
無線通信システムにおける方法であって、
サイドリンク通信に使用される１つ又は複数のパラメータセットを取得することと、
前記１つ又は複数のパラメータセットに基づいて前記サイドリンク通信を実行するようにユーザー装置を制御することと、
を含み、
前記１つ又は複数のパラメータセットは基地局からの配置情報に基づいて確定されるか又は予め配置されており、パラメータセットには少なくともサブキャリア間隔及びサイクリックプレフィックスタイプが含まれる方法。
【請求項２６】
実行可能な指令が記憶されるコンピュータ可読記憶媒体であって、前記実行可能な指令がコンピュータによって実行される場合に、請求項２４又は２５に記載の方法を前記コンピュータに実行させるコンピュータ可読記憶媒体。
【発明の詳細な説明】
【技術分野】
【０００１】
本出願は、２０１７年１２月２６日に中国特許庁に提出された、出願番号が２０１７１１４３３２１４．８であって、発明の名称が「無線通信システムにおける装置及び方法、並びにコンピュータ可読記憶媒体」である中国特許出願の優先権を主張するものであり、その全内容を本出願に参照により援用する。
【０００２】
本出願は、一般的に無線通信技術分野に関し、より具体的に、新しい無線アクセス技術（Ｎｅｗ  Ｒａｄｉｏ、ＮＲ）においてサイドリンク通信（ｓｉｄｅｌｉｎｋ  ｃｏｍｍｕｎｉｃａｔｉｏｎ）に使用されるパラメータセット（ｎｕｍｅｒｏｌｏｇｙ）を配置する無線通信システムにおける装置及び方法、並びにコンピュータ可読記憶媒体に関する。
【背景技術】
【０００３】
従来の無線通信技術では、サイドリンク通信に使用されるパラメータセット（例えばサブキャリア間隔、サイクリックプレフィックスタイプなどを含む）は一般的比較的固定され、送信側と受信側の両方は当該固定パラメータセットに従ってサイドリンク通信を実行する。しかしながら、このような固定パラメータセットは、遅延や信頼性などの一連の指標に対してより高い要求を持つ新しい無線アクセス技術におけるサイドリンク通信を満たすことができない。
【発明の概要】
【発明が解決しようとする課題】
【０００４】
本開示に関するいくつかの態様の基本的な理解を提供するように、本発明に関する簡単な概説を以下に示す。但し、この概説が本開示に関する網羅的な概説ではないと理解すべきである。それは、本開示の肝心又は重要部分を確定することを意図するものではなく、本開示の範囲を限定することを意図するものでもない。その目的は、後述するより詳細な説明の前置きとして、本開示に関するいくつかの概念を簡略化した形で提示することである。
【０００５】
以上の問題に鑑み、本開示の少なくとも１つの態様の目的は、サイドリンク通信に使用されるパラメータセットを配置することができる無線通信システムにおける装置及び方法、並びにコンピュータ可読記憶媒体を提供することである。
【課題を解決するための手段】
【０００６】
本開示の一態様によれば、処理回路を含む、無線通信システムにおける装置を提供し、当該処理回路は、少なくともリソース集合配置情報、物理チャネル情報及びサービスタイプ情報のうち１つ又は複数に基づいて、サイドリンク通信に使用される１つ又は複数のパラメータセットの配置情報を確定し、当該配置情報をユーザー装置に送信するように基地局を制御し、ユーザー装置が１つ又は複数のパラメータセットに基づいてサイドリンク通信を実行するようにするように配置され、パラメータセットには少なくともサブキャリア間隔及びサイクリックプレフィックスタイプが含まれる。
【０００７】
本開示の別の態様によれば、処理回路を含む、無線通信システムにおける装置をさらに提供し、当該処理回路は、サイドリンク通信に使用される１つ又は複数のパラメータセットを取得し、１つ又は複数のパラメータセットに基づいてサイドリンク通信を実行するようにユーザー装置を制御するように配置され、１つ又は複数のパラメータセットは基地局からの配置情報に基づいて確定されるか又は予め配置されており、パラメータセットには少なくともサブキャリア間隔及びサイクリックプレフィックスタイプが含まれる。
【０００８】
本開示の別の態様によれば、無線通信システムにおける方法をさらに提供し、少なくともリソース集合配置情報、物理チャネル情報及びサービスタイプ情報のうち１つ又は複数に基づいて、サイドリンク通信に使用される１つ又は複数のパラメータセットの配置情報を確定することと、当該配置情報をユーザー装置に送信するように基地局を制御し、ユーザー装置が１つ又は複数のパラメータセットに基づいてサイドリンク通信を実行するようにすることと、を含み、パラメータセットには少なくともサブキャリア間隔及びサイクリックプレフィックスタイプが含まれる。
【０００９】
本開示の別の態様によれば、無線通信システムにおける方法をさらに提供し、サイドリンク通信に使用される１つ又は複数のパラメータセットを取得することと、１つ又は複数のパラメータセットに基づいてサイドリンク通信を実行するようにユーザー装置を制御することと、を含み、１つ又は複数のパラメータセットは基地局からの配置情報に基づいて確定されるか又は予め配置されており、パラメータセットには少なくともサブキャリア間隔及びサイクリックプレフィックスタイプが含まれる。
【００１０】
本開示の別の態様によれば、コンピュータによって実行される場合上記の無線通信システムにおける方法をコンピュータに実行させる実行可能な指令が記憶されるコンピュータ可読記憶媒体をさらに提供する。
【００１１】
本開示の他の態様によれば、本開示による上記の方法を実現するためのコンピュータプログラムコード及びコンピュータプログラム製品をさらに提供する。
【００１２】
本開示の実施例の少なくとも１つの態様によれば、ＮＲにおけるサイドリンク通信に対して、使用のパラメータセットを柔軟に配置するため、サイドリンク通信の通信パフォーマンスを向上させ、遅延やシステム安定性などの一連の指標に対するＮＲシーンのより高い要求を満たすことができる。
【００１３】
本開示の実施例の他の態様は、以下の明細書に記載されており、本開示の実施例を十分に開示するための好ましい実施例について詳細に説明するが、これらに限定されない。
【図面の簡単な説明】
【００１４】
本発明は、添付の図面と併せて与えられる以下の詳細な説明を参照することによって、よりよく理解でき、同じ又は類似の構成要素について、図面全体にわたって同じ又は類似の参照符号が使用される。前記図面は以下の詳細な説明と共に、本明細書に含まれて、本明細書の一部を形成し、また、本発明の好ましい実施例をさらに例示し、本発明の原理及び利点を説明するために使用される。図面では、
【００１５】
【図１】図１は、本開示の実施例による無線通信システムにおける基地局側の装置の配置例を示すブロック図である。
【図２】図２は、本開示の実施例による無線通信システムにおける基地局側の装置の別の配置例を示すブロック図である。
【図３】図３は、本開示の実施例による移動速度をレポートするように基地局がユーザー装置を配置するシグナリングインタラクションプロセスの例を示すフローチャートである。
【図４】図４は、本開示の実施例による無線通信システムにおけるユーザー装置側の装置の配置例を示すブロック図である。
【図５】図５は、本開示の実施例による無線通信システムにおけるユーザー装置側の装置の別の配置例を示すブロック図である。
【図６】図６は、本開示の実施例による無線通信システムにおけるユーザー装置側の装置のさらに別の配置例を示すブロック図である。
【図７】図７は、本開示の実施例による無線通信システムにおけるユーザー装置側の装置のさらに別の配置例を示すブロック図である。
【図８】図８は、本開示の実施例による送信側と受信側の両方がパラメータセット配置を同期するシグナリングインタラクションプロセスの例を示すフローチャートである。
【図９】図９は、本開示の実施例によるシグナリングインタラクションプロセスの例を示すフローチャートである。
【図１０】図１０は、本開示の実施例によるシグナリングインタラクションプロセスの別の例を示すフローチャートである。
【図１１】図１１は、本開示の実施例によるシグナリングインタラクションプロセスのさらに別の例を示すフローチャートである。
【図１２】図１２は、本開示の実施例による無線通信システムにおける基地局側の方法のプロセスの例を示すフローチャートである。
【図１３】図１３は、本開示の実施例による無線通信システムにおけるユーザー装置側の方法のプロセスの例を示すフローチャートである。
【図１４】図１４は、本開示の技術による車両間通信（Ｖ２Ｖ）シーンにおける適用例を示す概略図である。
【図１５】図１５は、Ｖ２Ｘの４つのタイプの使用シーンを示す概略図である。
【図１６】図１６は、本開示の技術によるＶ２Ｘの自動キューリング運転（ｐｌａｔｏｏｎｉｎｇ）シーンにおける適用例を示す概略図である。
【図１７】図１７は、本開示の技術によるキャリアアグリゲーション通信シーンにおける適用例を示す概略図である。
【図１８】図１８は、本開示の技術によるＤ２Ｄ通信シーンにおける適用例を示す概略図である。
【図１９】図１９は、本開示の技術によるドローン通信シーンにおける適用例を示す概略図である。
【図２０】図２０は、本開示の技術によるＶ２Ｉシーンにおける適用例を示す概略図である。
【図２１】図２１は、本開示の実施例において採用可能な情報処理装置であるパーソナルコンピュータの構成例を示すブロック図である。
【図２２】図２２は、本開示の技術を適用できる進化型ノード(ｅＮＢ)の概略構成の第１の例を示すブロック図である。
【図２３】図２３は、本開示の技術を適用できるｅＮＢの概略構成の第２の例を示すブロック図である。
【図２４】図２４は、本開示の技術を適用できるスマートフォンの概略構成の一例を示すブロック図である。
【図２５】図２５は、本開示の技術を適用できるカーナビゲーション装置の概略構成の一例を示すブロック図である。
【発明を実施するための形態】
【００１６】
以下、本開示の例示的な実施例について添付の図面を参照して説明する。明確化と簡潔さのために、実際の実施形態の全ての特徴が明細書に記述されているわけではない。但し、こういう実際の実施例の開発において、開発者の具体的な目標を達成し、例えば、システム及び業務に関連する制約条件を満たすために多くの実施形態特有の決定が行われなければならなく、これらの制約条件は実施形態に応じて変更される可能性があることと理解すべきである。加えて、開発作業は非常に複雑で時間がかかる可能性があるが、本開示により便益を与える当業者にとって、そのような開発作業は日常的なタスクに過ぎないことも理解されるべきである。
【００１７】
ここで、不必要な詳細によって本開示を不明瞭にすることを避けるために、本開示による解決策に密接に関連する装置構造及び／又は処理ステップのみが図面に示され、本開示とはほとんど関係のない他の詳細は省略されることにも注意されたい。
【００１８】
本開示の実施例を具体的に説明する前に、本明細書で言及される「サイドリンク通信」とは、一般に、ＰＣ５インターフェースを介する通信であり、少なくとも車両のインターネット通信（Ｖｅｈｉｃｌｅ  ｔｏ  Ｅｖｅｒｙｔｈｉｎｇ、Ｖ２Ｘ）、装置間通信（Ｄｅｖｉｃｅ  ｔｏ  Ｄｅｖｉｃｅ、Ｄ２Ｄ）、マシン型通信（Ｍａｃｈｉｎｅ  Ｔｙｐｅ  Ｃｏｍｍｕｎｉｃａｔｉｏｎ、ＭＴＣ）、ドローン（Ｕｎｍａｎｎｅｄ  Ａｅｒｉａｌ  Ｖｅｈｉｃｌｅｓ、ＵＡＶ）通信及びキャリアアグリゲーション通信（Ｃａｒｒｉｅｒ  Ａｇｇｒｅｇａｔｉｏｎ、ＣＡ）などのうち１つ又は複数が含まれることに注意されたい。なお、車両のインターネット通信（Ｖ２Ｘ）は、車両間通信（Ｖｅｈｉｃｌｅ  ｔｏ  Ｖｅｈｉｃｌｅ、Ｖ２Ｖ）、車両からインフラへの通信（Ｖｅｈｉｃｌｅ  ｔｏ  Ｉｎｆｒａｓｔｒｕｃｔｕｒｅ、Ｖ２Ｉ）、車両からネットワークへの通信（Ｖｅｈｉｃｌｅ  ｔｏ  Ｎｅｔｗｏｒｋ、Ｖ２Ｎ）及び車両から歩行者への通信（Ｖｅｈｉｃｌｅ  ｔｏ  Ｐｅｄｅｓｔｒｉａｎ、Ｖ２Ｐ）などを含むことができることに注意されたい。特に、Ｖ２Ｉにおけるインフラは、従来の基地局だけでなく、路側機（Ｒｏａｄｓｉｄｅ  Ｕｎｉｔ、ＲＳＵ）も含む。
【００１９】
また、本明細書で言及されている「基地局によってリソーススケジューリングを実行するシーン」はＶ２Ｘにおけるリソース選択モード３又はＤ２Ｄにおけるリソース選択モード１に対応し、「ユーザー装置によってリソースを自律的に選択するシーン」はＶ２Ｘにおけるリソース選択モード４又はＤ２Ｄにおけるリソース選択モード２に対応することができることに注意されたい。
【００２０】
以下、図１から図２５を参照して本開示の好ましい実施例を詳細に説明する。以下、以下の順序で説明する。但し、本開示の実施例は、説明の便宜上、以下の章の順序で別々に説明するが、このような章の分割及び順序は、本開示に対する制限を構成しないことに注意されたい。逆に、本開示の技術が実際に実施される場合、実施例が互いに矛盾しない限り、当業者は、本開示の原理及び実際の状況に従って下記の実施例を組み合わせることができる。
【００２１】
１．本開示による基地局側の装置の配置例
１−１．ユーザー装置によってリソースを自律的に選択するシーンの例
１−２．基地局によってリソーススケジューリングを実行するシーンの例
２．本開示によるユーザー装置側の装置の配置例
２−１．ユーザー装置によってリソースを自律的に選択するシーンの例
２−２．基地局によってリソーススケジューリングを実行するシーンの例
２−３．他の装置とパラメータセットの配置情報をインタラクションする例
３．本開示の技術を実施するためのシグナリングインタラクションプロセスの例
３−１．基地局によってリソーススケジューリングを実行するシーンの例
３−２．基地局のカバレッジ内にありユーザー装置によってリソースを自律的に選択するシーンの例
３−３．基地局のカバレッジ外にあるシーンの例
４．本開示による方法実施例
５．本開示の技術による適用シーンの例
５−１．ＮＲ  Ｖ２Ｖシーンの例
５−２．ＮＲ  Ｖ２Ｘ自動キューリング運転シーンの例
５−３．ＮＲサイドリンクキャリアアグリゲーション通信シーンの例
５−４．ＮＲ  Ｄ２Ｄシーンの例
５−５．ＮＲドローン通信シーンの例
５−６．ＮＲ  Ｖ２Ｉシーンの例
６．本開示の装置及び方法を実施するための実施例のコンピューティング装置
７．本開示の技術の適用例
７−１．基地局についての適用例
７−２．ユーザー装置についての適用例
【００２２】
＜１.  本開示による基地局側の装置の配置例＞
［１−１．ユーザー装置によってリソースを自律的に選択するシーンの例］
図１は、本開示の実施例による無線通信システムにおける基地局側の装置の配置例を示すブロック図である。当該実施例は、ユーザー装置が基地局のカバレッジ内（Ｉｎ−Ｃｏｖｅｒａｇｅ）にあるシーンである。
【００２３】
図１に示すように、本実施例による装置１００は、確定ユニット１０２及び制御ユニット１０４を含むことができる。
【００２４】
確定ユニット１０２は、少なくともリソース集合配置情報、物理チャネル情報及びサービスタイプ情報のうち１つ又は複数に基づいて、サイドリンク通信に使用される１つ又は複数のパラメータセットの配置情報を確定するように配置できる。
【００２５】
ここで、パラメータセットとは、伝送のための基本的なパラメータ配置であり、また、少なくともサブキャリア間隔及びサイクリックプレフィックスタイプが含まれてもよい。好ましくは、パラメータセットは、サブフレーム内のタイムスロットの数、タイムスロット内の直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルの数及びフレーム内のタイムスロットの数のうち１つ又は複数をさらに含んでもよい。また、パラメータセットは、相応に推定されるサブフレーム内のＯＦＤＭシンボルの数、フレーム内のＯＦＤＭシンボルの数などの一連の伝送関連パラメータを含んでもよく、ここで一つずつ列挙しない。
【００２６】
2021508967.tif 000003
【００２７】
リソース集合配置情報には、例えばリソースプールの配置情報（例えば、リソースプールの分割状況）、キャリアの配置情報、帯域幅ブロック（Ｂａｎｄｗｉｄｔｈ  Ｐａｒｔ、ＢＷＰ）の配置情報などの伝送リソース配置に関連する情報が含まれてもよく、異なるリソース集合配置によってローディングされるサービス内容に従って、異なるパラメータセットを配置することができる。
【００２８】
物理チャネル情報は、少なくとも、例えば、物理チャネルタイプを指示する情報を含んでもよい。サイドリンク通信には、物理サイドリンク制御チャネル（Ｐｈｙｓｉｃａｌ  Ｓｉｄｅｌｉｎｋ  Ｃｏｎｔｒｏｌ  Ｃｈａｎｎｅｌ、ＰＳＣＣＨ）、物理サイドリンク共有チャネル（Ｐｈｙｓｉｃａｌ  Ｓｉｄｅｌｉｎｋ  Ｓｈａｒｅｄ  Ｃｈａｎｎｅｌ、ＰＳＳＣＨ）及び物理サイドリンクブロードキャストチャネル（Ｐｈｙｓｉｃａｌ  Ｓｉｄｅｌｉｎｋ  Ｂｒｏａｄｃａｓｔ  Ｃｈａｎｎｅｌ、ＰＳＢＣＨ）の３つのタイプの物理チャネルが含まれることによって、異なるタイプの物理チャネルに対して、対応する周波数帯域、変調／復調方法、及びその他の要因に従って、異なるパラメータセットを配置することができる。
【００２９】
限定ではない一例として、ＮＲのサイドリンク通信では、ＰＢＳＣＨについて、好ましくは、−２、−１、０、１、２、３、４であるμの値に対応する複数のパラメータセットを選択し、より好ましくは、−１、０、１、２であるμの値に対応する複数のパラメータセットを選択することができ、また、唯一のパラメータセットのみを選択する場合に、従来のＬＴＥサービスとの互換性を確保するために、パラメータμは０に設置することがさらに好ましい。ＰＳＣＣＨについて、好ましくは、０、１、２、３であるμの値に対応する複数のパラメータセットを選択し、より好ましくは、０、２であるμの値に対応する複数のパラメータセットを選択することができ、また、唯一のパラメータセットのみを選択する場合、従来のＬＴＥサービスとの互換性を確保するために、パラメータμは０に設置することがさらに好ましい。ＰＳＳＣＨについて、好ましく、−５、−４、−３、−２、−１、０、１、２であるμの値に対応する複数のパラメータセットを選択し、より好ましくは、−３、−２、−１、０、１、２であるμの値に対応する複数のパラメータセットを選択することができ、また、唯一のパラメータセットのみを選択する場合、従来のＬＴＥサービスとの互換性を確保するために、パラメータμは０に設置することがさらに好ましい。
【００３０】
サービスタイプ情報は、少なくとも、例えば、サイドリンク通信によってローディングされるサービスがＬＴＥサービスであるかＮＲサービスであるかを指示する情報を含むことができるため、通信パフォーマンスに対するＬＴＥサービス及びＮＲサービスの異なる要求に応じて、異なるパラメータセットを配置することができる。例えば、サービスタイプ情報がＬＴＥサービスを指示する場合に、一つの固定のパラメータセットを確定することができ（例えば、サブキャリア間隔が１５  ｋＨｚに固定され、即ち、パラメータμ=０である）、サービスタイプ情報がＮＲサービスを指示する場合に、他の要因をさらに組み合わせて現在のサービスに適した複数のパラメータセットを確定することができる。このようにして、従来のＬＴＥにおけるサイドリンク通信との互換性を実現することができる。また、サービスタイプ情報がＬＴＥサービスとＮＲサービスとの共存を指示する場合に、互換性を確保するために、配置パラメータμ=０（即ち、サブキャリア間隔が１５  ｋＨｚに固定される）に対応するパラメータセットも考慮することができる。
【００３１】
なお、リソース集合配置情報、物理チャネル情報及びサービスタイプ情報のうち１つ又は複数に基づいて１つ又は複数のパラメータセットを確定することを上述したが、リソース集合配置がパラメータセット配置と互いに関連する場合に、このような確定は、複数のパラメータセットとリソース集合配置情報、物理チャネル情報及びサービスタイプ情報のうち１つ又は複数との間の対応関係を確立することとして理解することができる。言い換えれば、実際の操作では、配置されたパラメータセットに基づいてリソース集合配置情報、物理チャネル情報及びサービスタイプ情報のうち１つ又は複数を確定してもよい。
【００３２】
制御ユニット１０４は、確定された１つ又は複数のパラメータセットの配置情報をユーザー装置に送信するように基地局を制御し、ユーザー装置がこれらの１つ又は複数のパラメータセットに基づいて通信することができるようにするように配置することができる。
【００３３】
好ましくは、制御ユニット１０４はさらに、１つ又は複数のパラメータセットの配置情報を上位層シグナリング（例えば、無線リソース制御（Ｒａｄｉｏ  Ｒｅｓｏｕｒｃｅ  Ｃｏｎｔｒｏｌ、ＲＲＣ）層シグナリング）に含めて、ユーザー装置に送信するように配置できる。さらに好ましくは、上記のように、確定ユニット１０２は、リソース集合配置情報とパラメータセットの配置情報との間の対応関係を確立することができるため、制御ユニット１０４は、１つ又は複数のパラメータセットの配置情報をリソース集合配置情報に関連付けてユーザー装置に送信するように基地局を制御し、後続のリソース選択及びパラメータセット選択を実行するようにしてもよい。その代わりに、リソース集合配置情報及びパラメータセットの配置情報は独立してユーザー装置に送信されてもよい。
【００３４】
なお、ここで確定されユーザー装置に通知される１つ又は複数のパラメータセットはただ候補パラメータセットとして使用され、リソース選択モードが基地局によってスケジューリングされるか、ユーザー装置によって自律的に選択されるかによって異なり、基地局又はユーザー装置によって当該候補パラメータセットからサイドリンク通信に使用される具体的なパラメータセットを選択することができることに注意されたい。
【００３５】
図１を参照して説明した配置例は、ユーザー装置によってリソースを自律的に選択するシーンに対応することができ、次に、基地局によってリソーススケジューリングを実行するシーンの例について詳細に説明する。
【００３６】
［１−２．基地局によってリソーススケジューリングを実行するシーンの例］
図２は、本開示の実施例による無線通信システムにおける基地局側の装置の別の配置例を示すブロック図である。
【００３７】
図２に示すように、この例示による装置２００は確定ユニット２０２、制御ユニット２０４及び選択ユニット２０６を含むことができる。さらに、確定ユニット２０２の機能配置例は図１を参照して上述した確定ユニット１０２の機能配置例と基本的に同じであり、ここで再度説明しない。次に、制御ユニット２０４及び選択ユニット２０６の機能配置例について詳細に説明する。
【００３８】
制御ユニット２０４は、図１を参照して上述した制御ユニット１０４と類似に、確定ユニット２０２によって確定された１つ又は複数のパラメータセットの配置情報を例えばＲＲＣシグナリングを介してユーザー装置に送信するように基地局を制御することができる。
【００３９】
選択ユニット２０６は、ユーザー装置からの、少なくともユーザー装置の移動速度、チャネルビジー率（Ｃｈａｎｎｅｌ  Ｂｕｓｙ  Ｒａｔｉｏ、ＣＢＲ）、チャネル占用率（Ｃｈａｎｎｅｌ  Ｏｃｃｕｐａｎｃｙ  Ｒａｔｉｏ、ＣＲ）及びサイドリンク通信のデータサービス優先度のうち１つ又は複数に関する情報に基づいて、１つ又は複数のパラメータセットから、サイドリンク通信に使用されるパラメータセットを選択するように配置することができる。
【００４０】
具体的に、ユーザー装置が高速移動のＶ２Ｘシーンにある可能性があり、移動速度が速いほど、チャネル条件が大きく変化する可能性があるため、ユーザー装置はその移動速度（瞬時移動速度、一定期間内の平均移動速度などを含む）を基地局にレポートする必要があり、これにより、基地局が、ユーザー装置のために、サイドリンク通信に使用されるより適切なパラメータセットを選択する。一例として、速度が速いほど、より大きなパラメータμに対応するパラメータセットを選択する。
【００４１】
一例として、移動速度をレポートするように基地局がユーザーを配置するシグナリングインタラクションプロセスについて図３を参照して簡単的に説明する。図３は、本開示の実施例による移動速度をレポートするように基地局がユーザー装置を配置するシグナリングインタラクションプロセスの例を示すフローチャートである。
【００４２】
図３に示すように、ステップＳ３０１では、基地局がユーザー装置との初期接続（即ち、ＲＲＣ_ＣＯＮＮＥＣＴＥＤ）を確立し、その後、基地局は、ステップＳ３０２では、ユーザー装置に測定配置を発行し、周期的に又はイベントトリガーに応答して、速度情報をレポートするようにユーザー装置を要求することができる。
【００４３】
次に、ステップＳ３０３では、ユーザー装置は、受信した測定配置に従って、周期的に又はイベントトリガーに応答して、その速度情報を測定報告に含めて基地局にレポートすることができる。
【００４４】
図２に戻ると、既存の測定配置に従って、ユーザー装置は、基地局が関連する決定を行うように、測定されたチャネルビジー率及び／又はチャネル占用率を周期的に又はイベントトリガーに応答して基地局にレポートするため、基地局側の選択ユニット２０６はユーザー装置からのチャネルビジー率及び／又はチャネル占用率に基づいて適切なパラメータセットを選択してもよい。一例として、チャネルビジー率が大きいほど、即ち、チャネルが忙しいほど、より大きなパラメータμに対応するパラメータセットを選択することができる。チャネル占用率が大きいほど、即ち、チャネル占用度が高いほど、より大きなパラメータμに対応するパラメータセットを選択することができる。なお、ユーザー装置が速度情報、チャネルビジー率及びチャネル占用率をレポートする周期及びトリガーイベントは同じでも異なってもよく、これは本開示において限定されないことに注意されたい。
【００４５】
サイドリンク通信のデータサービス優先度とは、当該サイドリンク通信によって伝送されるデータサービスの優先度であり、例えば、ＰＰＰＰ（ＰｒｏＳｅ  Ｐｅｒ−Ｐａｃｋｅｔ  Ｐｒｉｏｒｉｔｙ）で指示でき、ユーザー装置からのリソース配置要求に含むことができる。一例として、サイドリンク通信のデータサービス優先度が低いほど、即ち、ＰＰＰＰの値が大きいほど、より大きなパラメータμに対応するパラメータセットを選択することができる。
【００４６】
ここで、選択ユニット２０６は、上記の４つの要因のうち１つ又は複数に従って、使用のパラメータセットを選択することができ、実際の適用シーンに従って、どの要素を優先的に考慮するかを選択することができることに注意されたい。例えば、Ｖ２Ｘの適用シーンでは、ユーザー装置の移動速度が主な考慮事項として考慮され、次にチャネルビジー率、チャネル占用率であり、最後にサイドリンク通信のデータサービス優先度である。
【００４７】
また、上記の要素の代わり、又は上記の要素と組み合わせて、ユーザー装置のタイプ（例えば、車両、歩行者、モバイルリレー、リレーノード、車列メンバー、車列管理者など）、ユーザー装置の情報処理能力（キャリアアグリゲーションをサポートするかどうか、受信機の処理能力など）、ユーザー装置の挙動、ビームフォーミング関連情報などの他の要素のうち１つ又は複数に基づいて、使用のパラメータセットを選択してもよい。特に、ドローン通信シーンでは、以下の要素をさらに考慮してもよく、ユーザー装置の高さ、標高、風速、気圧、温度と湿度、可視性などを含むがこれらに限定されない。当業者は本開示の原理及び具体的な適用シーンに従って、使用のパラメータセットを選択する際に考慮すべき要素を確定することができ、ここで１つずつ列挙しない。
【００４８】
なお、上記のユーザー装置からの、少なくともユーザー装置の移動速度、チャネルビジー率、チャネル占用率及びサイドリンク通信のデータサービス優先度のうち１つ又は複数に関する情報は、ユーザー装置によって取得されるオリジナル情報であってもよく、又は、ユーザー装置側でオリジナル情報を前処理して取得された情報であってもよい。例えば、ユーザー装置は、取得された移動速度、ＣＢＲ、ＣＲ及びＰＰＰＰのうち１つ又は複数に従って、好ましいパラメータセット選択範囲を確定し、当該パラメータセット選択範囲を指示する情報を基地局にレポートすることができ、これにより、基地局は、実際のネットワーク状況及びユーザー装置によってレポートされたパラメータセット選択範囲に従って、ユーザー装置のために最適なパラメータセットを選択することができる。
【００４９】
また、好ましくは、キャリアアグリゲーション通信（ＣＡ）のシーンでは、選択ユニット２０６はさらに、キャリアアグリゲーション通信における各コンポーネントキャリアに対して、使用のパラメータセットを選択するように配置することができる。これは、ＣＡシーンでは、異なるコンポーネントキャリアが異なるサービスタイプに対応する可能性があるため、異なるパラメータセット配置に適用できるからである。コンポーネントキャリア伝送の内容及び特性に応じて、対応するパラメータセット配置を選択することによって、キャリアアグリゲーション伝送の効率を効果的に向上させることができる。以下の適用シーンの例では、キャリアアグリゲーション通信に対するパラメータセットの配置及び選択について詳細に説明する。
【００５０】
制御ユニット２０４はさらに、選択ユニット２０６によって選択されたパラメータセットをユーザー装置に送信するように基地局を制御し、ユーザー装置が選択されたパラメータセットに基づいてサイドリンク通信を実行するようにするように配置できる。
【００５１】
好ましくは、制御ユニット２０４は、選択されたパラメータセットの関連情報を物理層シグナリング（具体的に、例えばｓｉｄｅｌｉｎｋ  ｇｒａｎｔ）に含めて、ユーザー装置に送信することができ、これにより、ユーザー装置は、受信された物理層シグナリングを復号化することによって当該パラメータセットを取得し、当該パラメータセットによりサイドリンク通信を実行することができる。好ましくは、選択されたパラメータセットは基地局がユーザー装置に割り当てられるサイドリンク通信に使用されるリソースの配置情報に関連付けられてｓｉｄｅｌｉｎｋ  ｇｒａｎｔによってユーザー装置に送信される。
【００５２】
なお、図１から図３を参照して上述した基地局側の装置はチップレベルで実現されてもよく、又は、他の外部部材を含むことによって装置レベルで実現されてもよいことに注意されたい。例えば、装置は基地局自体として機能してもよく、通信操作を実行するための通信ユニット(任意選択で、破線枠で図示される)を含んでもよい。通信ユニットは、異なる装置（例えば、Ｖ２Ｉシーンにおける車両、他の基地局、従来のユーザー装置など）との間の通信をサポートするために、１つ又は複数の通信インターフェース、例えば、ＰＣ５インターフェース、Ｘ２インターフェース、Ｓ１インターフェース、Ｕｕインターフェースなどを含むことができる。ここで、通信ユニットの実現形態を具体的に限定しない。
【００５３】
なお、上述した基地局側の装置における各機能ユニットは、それらが実現する具体的な機能に従って分割される論理モジュールであり、具体的な実現方式を限定することを意図しないことに留意されたい。実際の実現では、上記の各機能ユニット及びモジュールは別々の物理的エンティティとして実現することができるか、又は、単一のエンティティ(例えば、プロセッサ(ＣＰＵ又はＤＳＰなど)、集積回路など)によって実現することができる。
【００５４】
以下、本開示の実施例による無線通信システムにおけるユーザー装置側の配置例について、上記の基地局側の配置例に対応して説明する。
【００５５】
＜２．本開示によるユーザー装置側の配置例＞
図４は、本開示の実施例による無線通信システムにおけるユーザー装置側の装置の配置例を示すブロック図である。
【００５６】
図４に示すように、この例示による装置４００は、取得ユニット４０２及び制御ユニット４０４を含むことができる。
【００５７】
取得ユニット４０２は、サイドリンク通信に使用される１つ又は複数のパラメータセットを取得するように配置することができる。これらの１つ又は複数のパラメータセットは基地局からの配置情報に基づいて確定されるか又は予め配置されており、パラメータセットには少なくともサブキャリア間隔及びサイクリックプレフィックスタイプが含まれる。
【００５８】
具体的に、ユーザー装置が基地局のカバレッジ内にある場合に、基地局が実際の状況に応じてユーザー装置に対して１つ又は複数のパラメータセットをリアルタイムで配置することができ、これにより、ユーザー装置側の取得ユニット４０２は、基地局から受信した１つ又は複数のパラメータセットの配置情報が含まれる上位層シグナリング（例えば、ＲＲＣ層シグナリング）を復号化することによって、これらの１つ又は複数のパラメータセットを取得することができる。基地局によって１つ又は複数のパラメータセットを確定する具体的なプロセスは、基地局側の実施例に関する以上の説明を参照することができ、ここで再度説明しない。
【００５９】
一方、ユーザー装置が基地局のカバレッジ外にある場合に、ユーザー装置は基地局からの配置情報を受信することができず、ユーザー装置は、例えば内部又は外部のメモリを読み取ることによって、記憶されたデフォルトパラメータセット又は前回基地局から受信した配置情報を予め配置された１つ又は複数のパラメータセットとして取得する。
【００６０】
制御ユニット４０４は、取得した１つ又は複数のパラメータセットに基づいてサイドリンク通信を実行するようにユーザー装置を制御するように配置することができる。
【００６１】
上記の基地局側の配置例に対応して、以下では、基地局によってリソーススケジューリングを実行するシーン及びユーザー装置によってリソースを自律的に選択するシーンのユーザー装置側の配置例についてさらに詳細に説明する。
【００６２】
［２−１．ユーザー装置によってリソースを自律的に選択するシーンの例］
図５は、本開示の実施例による無線通信システムにおけるユーザー装置側の装置の別の配置例を示すブロック図である。
【００６３】
図５に示すように、この例示による装置５００は、取得ユニット５０２、選択ユニット５０４及び制御ユニット５０６を含むことができる。取得ユニット５０２の機能配置例は図４を参照して上述した取得ユニット４０２の機能配置例と基本的に同じであり、ここで再度説明しない。以下、選択ユニット５０４及び制御ユニット５０６の機能配置例のみについて詳細に説明する。
【００６４】
選択ユニット５０４は、少なくともユーザー装置の移動速度、チャネルビジー率、チャネル占用率及びサイドリンク通信的データサービス優先度のうち１つ又は複数に関する情報に基づいて、１つ又は複数のパラメータセットからサイドリンク通信に使用されるパラメータセットを選択するように配置することができる。
【００６５】
好ましくは、選択ユニット５０４はさらに、ユーザー装置の高さ、ユーザー装置のタイプ（例えば、車両、歩行者、モバイルリレー、リレーノード、車列メンバー、車列管理者など）、ユーザー装置の情報処理能力（キャリアアグリゲーションをサポートするかどうか、受信機の処理能力など）、ユーザー装置の挙動、ビームフォーミング関連情報などの他の要素のうち１つ又は複数に基づいて、使用のパラメータセットを選択するように配置されてもよい。
【００６６】
また、好ましくは、選択ユニット５０４は、サイドリンク通信に関する他の装置の関連情報に基づいて、１つ又は複数のパラメータセットからサイドリンク通信に使用されるパラメータセットを選択してもよい。
【００６７】
一例として、Ｖ２Ｘの自動キューリング運転（ｐｌａｔｏｏｎｉｎｇ）シーンでは、ユーザー装置が車列管理者であり、他の車列メンバーの基本情報を知っていると仮定すると、車列管理者であるユーザー装置側の選択ユニット５０４は、サイドリンク通信に使用されるパラメータセットを選択するときに、適切なパラメータセットを選択するために、他の車列メンバーの関連情報（例えば、移動速度、送受信されるデータサービスタイプ、リソース割り当て状況、情報処理能力など）を同時に考慮してもよい。その代わり、基地局によってパラメータセット選択が実行される上記の実施例では、ユーザー装置は、基地局が選択するようにこれらの情報を集約して基地局に転送してもよく、ここで再度詳細に説明しない。以下の適用シーン例では、自動キューリング運転シーンにおけるパラメータセット選択についてさらに詳細に説明する。
【００６８】
特に、サイドリンク通信がキャリアアグリゲーション通信である場合に、選択ユニット５０４はさらに、キャリアアグリゲーション通信の効率を向上するために、キャリアアグリゲーション通信における各コンポーネントキャリアに対して、例えば各コンポーネントキャリア伝送の内容及び特徴に従って各コンポーネントキャリアに対応するパラメータセットを選択してもよい。
【００６９】
また、好ましくは、選択ユニット５０４はさらに、取得ユニット５０２によって取得された１つ又は複数のパラメータセットが予め配置される場合に、少なくともリソース集合配置情報、物理チャネル情報及びサービスタイプ情報のうち１つ又は複数に基づいて、１つ又は複数のパラメータセットからサイドリンク通信に使用されるパラメータセットを選択するように配置されてもよい。
【００７０】
具体的に、ユーザー装置が基地局のカバレッジ外にあり、基地局のリアルタイムな配置情報を受信できないシーンでは、取得ユニット５０２によって取得された１つ又は複数のパラメータセットは、デフォルトの配置又は基地局から以前に受信した配置であり、現在のリソース集合配置情報、物理チャネル情報及びサービスタイプ情報などは考慮されていない。そのため、選択ユニット５０４は、予め配置された１つ又は複数のパラメータセットから選択するときに、これらの要素のうち１つ又は複数を同時に考慮して、現在のサイドリンク通信に適した最適なパラメータセットを選択してもよい。
【００７１】
なお、ここで、ユーザー装置側の選択ユニット５０４によって１つ又は複数のパラメータセットからサイドリンク通信に使用されるパラメータセットを選択する処理は、図２を参照して上述した基地局側の選択ユニット２０６によってパラメータセットを選択する処理と基本的に同様であることに注意されたい。そのため、ここで、詳細に説明されていない内容は、以上の対応する位置の説明を参照することができ、ここで再度説明しない。
【００７２】
制御ユニット５０６は、選択ユニット５０４によって選択されたパラメータセットに基づいてサイドリンク通信を実行するようにユーザー装置を制御するように配置されてもよい。
【００７３】
［２−２．基地局によってリソーススケジューリングを実行するシーンの例］
図６は、本開示の実施例による無線通信システムにおけるユーザー装置側の装置のさらに別の配置例を示すブロック図である。
【００７４】
図６に示すように、この例示による装置６００は、取得ユニット６０２及び制御ユニット６０４を含むことができる。さらに、取得ユニット６０２の機能配置例は図４を参照して上述した取得ユニット４０２の機能配置例と基本的に同じであり、ここで再度説明しない。以下、制御ユニット６０４の機能配置例のみについて詳細に説明する。
【００７５】
制御ユニット６０４は、少なくともユーザー装置の移動速度、チャネルビジー率、チャネル占用率及びサイドリンク通信のデータサービス優先度のうち１つ又は複数に関する情報を基地局に送信するようにユーザー装置を制御して、基地局が当該情報に基づいて１つ又は複数のパラメータセットからサイドリンク通信に使用されるパラメータセットを選択するようにするように配置される。
【００７６】
具体的に、制御ユニット６０４は基地局からの測定配置に従って、周期的に又はイベントトリガーに応答して、ユーザー装置の速度関連情報（瞬時速度及び平均速度などをを含む）、測定されたチャネルビジー率及びチャネル占用率のうち１つ又は複数を基地局にレポートすることができる。速度情報、チャネルビジー率及びチャネル占用率のレポート周期及びレポートトリガーイベントは同じであってもよいし異なってもよい。ここで具体的に限定しない。
【００７７】
また、制御ユニット６０４は、送信される通信サービスの優先度情報（例えば、ＰＰＰＰ）も取得し、当該優先度情報を例えばリソース配置要求に含めて基地局にレポートすることができ、基地局は、システム安定性及びスペクトル効率のバランスをとるために、実際の適用シーンに基づいて、上記の要素のうち１つ又は複数に従って、適切なパラメータセットを選択することができる。
【００７８】
制御ユニット６０４は、ユーザー装置の移動速度、チャネルビジー率、チャネル占用率及びサイドリンク通信のデータサービス優先度のうち１つ又は複数のオリジナル情報を基地局に直接送信するようにユーザー装置を制御することができ、又は、これらのオリジナル情報を前処理してユーザー装置の好ましいパラメータセット選択範囲を確定し、当該パラメータセット選択範囲の指示情報をパラメータセット配置要求として基地局に送信するようにユーザー装置を制御してもよい。
【００７９】
上記の要素に加えて、制御ユニット６０４は、ユーザー装置に関する他の情報又はユーザー装置によって取得された他の情報（上記のユーザー装置能力情報、ユーザー装置タイプ情報、ユーザー挙動などを含むがこれらに限定されない）を基地局に送信するように制御して、基地局が異なる適用シーンを総合的に考慮して最適なパラメータセットを選択するようにしてもよい。Ｖ２Ｘにおける自動キューリング運転シーンを例として、基地局側によってパラメータセットが選択される場合に、車列管理者であるユーザー装置の制御ユニット６０４は、把握及び集約した他の車列メンバーの基本情報を基地局に送信して、基地局が車列メンバー間のサイドリンク通信に適した最適なパラメータセットを選択するようにしてもよい。
【００８０】
取得ユニット６０２は、基地局からの物理層シグナリング（例えば、ｓｉｄｅｌｉｎｋ  ｇｒａｎｔ）を復号化することによって、基地局によって選択されたパラメータセットを取得することができ、また、制御ユニット６０４は、取得したパラメータセットに基づいてサイドリンク通信を実行するようにユーザー装置を制御することができる。
【００８１】
なお、ここで図６を参照して説明したユーザー装置側の装置の配置例は、図２を参照して以上説明する基地局側の配置例に対応するため、ここで詳細に説明されていない内容は以上の対応する位置の説明を参照することができ、ここで再度説明しない。
【００８２】
［２−３．他の装置とパラメータセット配置情報をインタラクションする例］
図７は、本開示の実施例による無線通信システムにおけるユーザー装置側の装置のさらに別の配置例を示すブロック図である。
【００８３】
図７に示すように、この例示による装置７００は、取得ユニット７０２、制御ユニット７０４及びインタラクションユニット７０６を含むことができる。リソース選択がユーザー装置によって実行されるか基地局によって実行されるかに応じて、ここで説明する取得ユニット７０２及び制御ユニット７０４はそれぞれ図５及び図６を参照して上述した装置に含まれる取得ユニット及び制御ユニットと基本的に同じ機能配置例を有し、ここで再度説明しない。以下、インタラクションユニット７０６の機能配置例のみについて詳細に説明する。
【００８４】
インタラクションユニット７０６は、選択されたパラメータセットを、当該ユーザー装置とサイドリンク通信する１つ又は複数の他の装置に送信するようにユーザー装置を制御するように配置することができる。
【００８５】
送信側と受信側の両方が固定のパラメータセット配置に基づいてサイドリンク通信を実行する従来の技術と異なり、本開示の実施例では、サイドリンク通信に使用されるパラメータセットを動的に柔軟に配置することができ、また、送信側は、選択したパラメータセットをサイドリンク通信に関する他の装置に通知するため、送信側と受信側の両方が通信に使用されるパラメータセット配置を同期することができる。
【００８６】
実現例として、インタラクションユニット７０６は、選択されたパラメータセットをサイドリンク制御情報（Ｓｉｄｅｌｉｎｋ  Ｃｏｎｔｒｏｌ  Ｉｎｆｏｒｍａｔｉｏｎ、ＳＣＩ）に含めて、ブロードキャスト、ユニキャスト及び／又はマルチキャストの方式で当該ＳＣＩを他の装置に送信することができ、ＳＣＩを受信した他の装置は、シグナリングを復号化することによってパラメータセットの配置情報を取得し、当該パラメータセットに基づいて送信側ユーザー装置からの情報を受信することができる。
【００８７】
同様に、装置７００が位置するユーザー装置が受信装置として機能する場合に、インタラクションユニット７０６は、他の装置からのサイドリンク制御情報を復号化することによって、サイドリンク通信に使用される他の装置のパラメータセットを取得し、また、制御ユニット７０４は取得された他の装置のパラメータセットに基づいて、他の装置からの情報を受信するようにユーザー装置を制御してもよい。
【００８８】
図８は、本開示の実施例による送信側と受信側の両方がパラメータセット配置を同期するシグナリングインタラクションプロセスの例を示すフローチャートである。
【００８９】
図８に示すように、ステップＳ８０１では、送信装置は、サイドリンク通信に使用されるパラメータセットを選択又は確定する。具体的に、送信装置は、上記の選択ユニット５０４によって実行される選択処理を実行してパラメータセットを選択してもよく、又は、基地局からの情報を復号化することによって、基地局によって選択されるパラメータセットを確定してもよい。
【００９０】
次に、ステップＳ８０２では、送信装置は、選択／確定されたパラメータセットをＳＣＩシグナリングに含めて受信装置に送信する。ステップＳ８０３では、受信装置は、受信されたＳＣＩシグナリングを復号化することによって、送信装置によって情報の送信に使用されるパラメータセットの配置情報を取得する。送信装置がＳＣＩシグナリングの送信に使用するパラメータセットは、送信側と受信側の両方が予め約束配置するか、又はランダム選択してもよく、受信装置は、それに応じて、予め配置されたパラメータセットに基づいてＳＣＩシグナリングを受信するか又はブラインド検出によってＳＣＩシグナリングを受信してもよい。
【００９１】
次に、送信装置は、ステップＳ８０４で、選択／確定されたパラメータセットを使用して受信装置に情報を送信し、受信装置は、ステップＳ８０５で、復号化されたパラメータセットの配置情報に基づいて送信装置からの情報を受信する。
【００９２】
ここで、図８を参照して説明したシグナリングインタラクションプロセスは、送信側と受信側の両方がパラメータセット配置を同期するプロセスを説明するためのものであり、当該プロセスに関係のない説明が省略されることに注意されたい。また、当該同期プロセスは、説明の便宜上、図８に示すフローチャートを参照して時系列で説明したが、当該時系列は本開示に対する制限を構成しないことにも注意されたい。
【００９３】
なお、図４から図８を参照しながら説明したユーザー装置側の装置はチップレベルで実現されてもよく、又は、他の外部部材を含むことによって装置レベルで実現されてもよいことに注意されたい。例えば、装置はユーザー装置自体として機能してもよく、通信操作を実行するための通信ユニット(任意選択で、破線枠で図示される)を含んでもよい。通信ユニットは、異なる装置（例えば、車両、インターネット、基地局など）との間の通信をサポートするために、１つ又は複数の通信インターフェース、例えばＰＣ５インターフェース、Ｕｕインターフェースなどを含んでもよい。ここで、通信ユニットの実現形態を具体的に限定しない。好ましくは、当該装置は、デフォルトのリソース集合配置、パラメータセット配置、前回基地局から受信したリソース集合配置及びパラメータセット配置などが記憶されるメモリ（任意選択で、破線枠で図示される）を含んでもよい。
【００９４】
なお、上述したユーザー装置側の装置における各機能ユニットは、それが実現する具体的な機能に従って分割される論理モジュールであり、具体的な実現方式を限定することを意図しないことに留意されたい。実際の実現では、上記の各機能ユニット及びモジュールは別々の物理的エンティティとして実現するか、又は、単一のエンティティ(例えば、プロセッサ(ＣＰＵ又はＤＳＰなど)、集積回路など)によって実現することができる。
【００９５】
また、本開示の装置実施例について図面に示すブロック図を参照して上述したが、これは単なる例であり、限定ではないことにも留意されたい。当業者は、本開示の原理に従って、図示された機能構成例を修正することができ、例えば、それらの各機能モジュールに対して追加、削除、修正、組み合わせなどを行うことができ、そのような変形の全ては本開示の範囲内に入ると考えられるべきである。
【００９６】
さらに、各通信シーンにおける装置構成例は、説明を明確にするために別々説明されているが、これは、各実施例が相互に排他的であることを意味しないことにも留意されたい。実際の実現では、本開示の原理に従って各実施例を組み合わせることができ、そのような組み合わせはもちろん本開示の範囲内に入ると考えられるべきである。
【００９７】
さらに本開示の技術をよりよく理解するために、本開示の技術を実施するためのシグナリングインタラクションプロセスについて図９から図１１を参照して以下説明する。
【００９８】
＜３．本開示の技術を実施するためのシグナリングインタラクションプロセス＞
［３−１．基地局によってリソーススケジューリングを実行するシーンの例］
図９は、本開示の実施例によるシグナリングインタラクションプロセスの例を示すフローチャートである。この例示はユーザー装置が基地局のカバレッジ内にあり、基地局によってリソーススケジューリングを実行するように基地局が配置するシーンに対応する。
【００９９】
図９に示すように、ステップＳ９０１では、基地局はユーザー装置との初期接続（即ち、ＲＲＣ_ＣＯＮＮＥＣＴＥＤ）を確立し、その後、基地局はステップＳ９０２で、リソース集合配置情報及び候補パラメータセット配置情報（基地局が例えばリソース集合配置情報、物理チャネル情報及びサービスタイプ情報のうち１つ又は複数に基づいて確定した１つ又は複数のパラメータセットを含む）を例えばＲＲＣシグナリングに含めてユーザー装置に送信する。ステップＳ９０２では、リソース集合配置情報及び候補パラメータセット配置情報は関連付けられてユーザー装置に送信されるか、又は互いに独立して送信されてもよいことに注意されたい。
【０１００】
次に、ユーザー装置はステップＳ９０３で、サイドリンク通信によって伝送する、当該通信サービスの優先度が含まれる情報を取得し、ステップＳ９０４では、取得した優先度情報をリソース配置要求に含めて基地局に送信して、ユーザー装置にリソースを割り当てるように基地局に要求する。ステップＳ９０５では、ユーザー装置は、周期的に又はイベントトリガーに応答して、測定された速度情報、チャネルビジー率及び／又はチャネル占用率を基地局にレポートする。ステップＳ９０６では、基地局は、ユーザー装置からの情報のうち１つ又は複数に基づいてリソース割り当て及びパラメータセット選択を実行することができ、その後、ステップＳ９０７では、割り当てられるリソース及び選択されるパラメータセットに関する情報を例えばｓｉｄｅｌｉｎｋ  ｇｒａｎｔによってユーザー装置に発行し、これにより、ユーザー装置は、ステップＳ９０８で、受信したリソース配置情報及びパラメータセット配置情報に基づいてサイドリンク通信を実行して情報を送信することができる。
【０１０１】
図９に示すシグナリングインタラクションプロセスは一例にすぎず、当業者は本開示の原理及び実際の状況に応じてそれを適切的に修正することができ、このような修正は明らかに本開示の範囲内に入ると考えられるべきであることに注意されたい。例えば、上記のステップＳ９０４及びステップＳ９０５を実行する代わりに、ユーザー装置は、受信した候補パラメータセットの配置情報に従って、取得したこれらの情報を統合及び前処理して、例えばパラメータセット選択範囲の指示情報を取得して当該指示情報を基地局に送信するようにしてもよい。リソース集合配置情報と候補パラメータセット配置情報との対応関係が確定された場合に、基地局は、当該指示情報に従って、リソース割り当て及びパラメータセット選択を同時に実行することができる。
【０１０２】
［３−２．基地局のカバレッジ内にありユーザー装置によってリソースを自律的に選択するシーンの例］
図１０は、本開示の実施例によるシグナリングインタラクションプロセスの別の例を示すフローチャートである。
【０１０３】
この例はユーザー装置が基地局のカバレッジ内にあり、ユーザー装置によってリソースを自律的に選択するように基地局が配置するシーンである。この例では、依然として基地局によって候補のリソース集合及びパラメータセットの配置を実行するが、具体的なリソース及びパラメータセット選択はユーザー装置側で実行される。
【０１０４】
図１０に示すステップＳ１００１からステップＳ１００３における処理は、図９に示すステップＳ９０１からステップＳ９０３における処理と基本的に同じであるので、ここで再度説明しない。ステップＳ１００４では、ユーザー装置は、取得したデータサービスの優先度に基づいて、基地局によって配置される候補リソース集合からリソースを選択し、ステップＳ１００５では、ユーザー装置は、速度情報、チャネルビジー率、チャネル占用率及びデータサービス優先度などの情報のうち１つ又は複数に基づいて候補パラメータセットから使用されるパラメータセットを選択する。次に、ステップＳ１００６では、ユーザー装置は、選択されたリソース及びパラメータセットに基づいてサイドリンク通信を実行して情報を送信する。
【０１０５】
同様に、図１０に示すシグナリングインタラクションプロセスは一例にすぎず、当業者は、本開示の原理及び実際の状況に応じてそれを適切的に修正することができ、このような修正は明らかに本開示の範囲内に入ると考えられるべきであることに注意されたい。例えば、リソース配置とパラメータセット配置が互いに関連付けられる場合に、上記のステップＳ１００４及びステップＳ１００５を１つのステップで実現し、リソース選択及びパラメータセット選択を同時に実現してもよい。
【０１０６】
［３−３．基地局のカバレッジ外にあるシーンの例］
図１１は、本開示の実施例によるシグナリングインタラクションプロセスの別の例を示すフローチャートである。
【０１０７】
この例は、ユーザー装置が基地局のカバレッジ外にありリソースを自律的に選択する必要があるシーンに対応する。そのため、この例では、実際的に、基地局とユーザー装置との間のシグナリングインタラクションプロセスが存在しない。
【０１０８】
図１１に示す例では、ユーザー装置側で実行されるステップＳ１１０２からＳ１１０５における処理は、図１０を参照して上述したステップＳ１００３からステップＳ１００６における処理と基本的に同じであり、相違点は、ステップＳ１１０１では、ユーザー装置が例えばメモリを読み取ることによって、デフォルトのリソース集合配置及びパラメータセット配置、又は前回基地局から受信したリソース集合配置及びパラメータセット配置を候補のリソース集合及びパラメータセットとして取得することであり、それによって、ステップＳ１００４及びステップＳ１００５でそれぞれ基地局がＲＲＣシグナリングによってリアルタイムで配置した候補リソース集合及び候補パラメータセットから選択することと異なり、ステップＳ１１０３及びステップＳ１１０４では、予め配置された候補リソース集合及び候補パラメータセットからリソース及びパラメータセットを選択し、ステップＳ１１０５で選択したリソース及びパラメータセットに基づいてサイドリンク通信を実行する。
【０１０９】
同様に、図１１に示すシグナリングインタラクションプロセスは一例にすぎず、当業者は本開示の原理及び実際の状況に応じてそれを適切的に修正することができ、このような修正は明らかに本開示の範囲内に入ると考えられるべきであることに注意されたい。例えば、当該シグナリングインタラクションプロセスは、ユーザー装置がリソース集合配置情報、物理チャネル情報及びサービスタイプ情報のうち１つ又は複数を取得し、これらの情報に基づいてリソース選択及びパラメータセット選択を実行するステップを含んでもよい。
【０１１０】
なお、説明を容易にするために図９から図１１では時系列で各ステップに番号が付けられているが、これらの番号はこれらのステップが実行される先後順序を示していないことにも留意されたい。実際に、いくつかのステップは並行して実行したり、順序を入れ替えたりすることができる。
【０１１１】
＜４．本開示の方法による実施例＞
上記の装置の実施例に対応して、本開示は以下の方法実施例を提供する。
【０１１２】
図１２は、本開示の実施例による無線通信システムにおける基地局側の方法のプロセスの例を示すフローチャートである。
【０１１３】
図１２に示すように、当該実施例による方法はステップＳ１２０１から開始する。ステップＳ１２０１では、少なくともリソース集合配置情報、物理チャネル情報及びサービスタイプ情報のうち１つ又は複数に基づいて、サイドリンク通信に使用される１つ又は複数のパラメータセットの配置情報を確定する。パラメータセットには少なくともサブキャリア間隔及びサイクリックプレフィックスタイプが含まれ、より好ましくは、サブフレーム内のタイムスロットの数、タイムスロット内のＯＦＤＭシンボルの数及びフレーム内のタイムスロットの数のうち１つ又は複数がさらに含まれる。
【０１１４】
次に、当該方法はステップＳ１２０２に進む。ステップＳ１２０２で、確定された１つ又は複数のパラメータセットの配置情報をユーザー装置に送信するように基地局を制御して、ユーザー装置が１つ又は複数のパラメータセットに基づいてサイドリンク通信を実行するようにする。好ましくは、当該配置情報を例えばＲＲＣシグナリングなどの上位層シグナリングに含めるとともにリソース集合配置情報に関連付けてユーザー装置に送信する。
【０１１５】
好ましくは、当該方法は、ユーザー装置からの、少なくともユーザー装置の移動速度、チャネルビジー率、チャネル占用率及びサイドリンク通信のデータサービス優先度のうち１つ又は複数に関する情報に基づいて、１つ又は複数のパラメータセットからサイドリンク通信に使用されるパラメータセットを選択するステップと、選択したパラメータセットを例えばｓｉｄｅｌｉｎｋ  ｇｒａｎｔの物理層シグナリングに含めてユーザー装置に送信するステップとを含んでもよい。また、好ましくは、サイドリンク通信がキャリアアグリゲーション通信である場合に、キャリアアグリゲーション通信における各コンポーネントキャリアに対して、１つ又は複数のパラメータセットからパラメータセットを選択する。
【０１１６】
なお、ここで図１２を参照して説明した基地局側の方法実施例は上述した基地局側の装置実施例と対応するため、ここで詳細に説明されていない内容は以下の対応する位置の説明を参照することができ、ここで再度説明しない。
【０１１７】
図１３は、本開示の実施例による無線通信システムにおけるユーザー装置側の方法のプロセスの例を示すフローチャートである。
【０１１８】
図１３に示すように、当該実施例による方法はステップＳ１３０１から開始する。ステップＳ１３０１では、サイドリンク通信に使用される１つ又は複数のパラメータセットを取得する。好ましくは、例えば基地局からの上位層シグナリングに含まれる配置情報を復号化することによって１つ又は複数のパラメータセットを取得する。その代わりに、これらの１つ又は複数のパラメータセットは予め配置されてもよい。
【０１１９】
次に、当該方法はステップＳ１３０２に進む。ステップＳ１３０２では、１つ又は複数のパラメータセットに基づいてサイドリンク通信を実行するようにユーザー装置を制御する。
【０１２０】
好ましくは、当該方法は、少なくともユーザー装置の移動速度、チャネルビジー率、チャネル占用率及びサイドリンク通信のデータサービス優先度のうち１つ又は複数に関する情報、及び選択可能な他の情報を基地局に送信するステップと、例えば基地局からの物理層シグナリングを復号化することによって、基地局がこれらの情報に基づいて選択したパラメータセットを取得するステップと、選択されたパラメータセットに基づいてサイドリンク通信を実行するステップを含んでもよい。
【０１２１】
好ましくは、当該方法は以下のステップのうち１つ又は複数を含んでもよい。少なくともユーザー装置の移動速度、チャネルビジー率、チャネル占用率及びサイドリンク通信のデータサービス優先度のうち１つ又は複数に関する情報に基づいて、また、選択的にサイドリンク通信に関する他の装置の関連情報に基づいて、１つ又は複数のパラメータセットからサイドリンク通信に使用されるパラメータセットを選択し、選択されたパラメータセットに基づいてサイドリンク通信を実行するステップと、選択されたパラメータセットを例えばＳＣＩシグナリングに含めて他の装置に送信するステップと、他の装置からのＳＣＩシグナリングを復号化することによってパラメータセットを取得し、取得されたパラメータセットに基づいて情報を受信するステップである。
【０１２２】
なお、ここで図１３を参照して説明したユーザー装置側の方法実施例は上述したユーザー装置側の装置実施例に対応するため、ここで詳細に説明されていない内容は以下の対応する位置の説明を参照することができ、ここで再度説明しない。
【０１２３】
また、本開示の実施例による無線通信システムにおける方法のプロセスの例について説明したが、これらは単なる例であり、限定ではないことにも留意されたい。当業者は、本開示の原理に従って、以上の実施例を修正することができ、例えば、それらの各実施例におけるステップに対して追加、削除、修正、組み合わせなどを行うことができ、そのような変形の全ては本開示の範囲内に入ると考えられるべきである。
【０１２４】
また、図面及び上記ではフローチャートの順序で本開示の実施例による無線通信システムにおける方法のプロセスの例を説明したが、本開示の方法による実行順序はこれに限定されず、これらの処理は並行して実行されるか又は必要に応じて実行されてもよい。
【０１２５】
＜５．本開示の技術による適用シーンの例＞
以下、本開示の技術による適用について具体的なシーン例と併せて以下に説明し、各適用シーン例に適したパラメータセットの好ましい配置を提供する。なお、各適用シーン例の説明では、当該適用シーンにおける特定の配置のみについて詳細に説明し、上述した様々な適用シーンの共通配置の詳細な説明は省略することに注意されたい。
【０１２６】
［５−１．ＮＲ  Ｖ２Ｖシーンの例］
図１４は、本開示の技術による車両間通信（Ｖ２Ｖ）シーンにおける適用例を示す概略図である。
【０１２７】
図１４に示すように、車両ユーザー１は、複数の車両ユーザー２、３及び４と同時にサイドリンク通信を実行し、基地局のカバレッジ内にあり、車両ユーザー１は基地局から１つ又は複数の候補リソース集合及び１つ又は複数の候補パラメータセットの配置情報を受信することができる。
【０１２８】
車両ユーザー１は、複数の車両ユーザーとサイドリンク通信する需要があるため、基地局又は車両ユーザー１によって、例えばデータサービス優先度、チャネルビジー率、チャネル占用率、移動速度などの上記の情報に従って、車両ユーザー１と車両ユーザー２、３及び４との間のサイドリンク通信にそれぞれ適したパラメータセットを選択することができ、図１４において、パラメータセット配置１、パラメータセット配置２及びパラメータセット配置３としてそれぞれ標記されている。リソース割り当て及びパラメータセット選択が完了した後、車両ユーザー１は、パラメータセット配置１、パラメータセット配置２及びパラメータセット配置３に基づいて、車両ユーザー２、３及び４とＶ２Ｖ通信をそれぞれ実行することができる。なお、ここで、パラメータセット配置１、パラメータセット配置２及びパラメータセット配置３は同じパラメータセットであってもよいし、異なるパラメータセットであってもよく、実際の通信状況に応じて具体的に設置することができ、本開示はこれを限定しないことに注意されたい。
【０１２９】
この例では、サービスタイプ、チャネル状況、移動速度、受信側の特性などの要素に基づいて適切なパラメータセットを選択することによって、遅延や信頼性などのパフォーマンス指標に対する異なる車両間のＶ２Ｖ通信の要求を満たすことができる。
【０１３０】
Ｖ２Ｖサービスの特性、即ち、遅延の要求が高いセキュリティサービスもあり、スループット、スペクトル利用率の要求が高いデータタイプサービスもあることを考慮し、ＮＲ  Ｖ２ＶとＬＴＥ  Ｖ２Ｖが将来の通信シーンで長期間共存する可能性があることも考慮して、当該シーンでは、サポートできるパラメータセットに対応するパラメータμの値には−４、−３、−２、−１、０、１、２、３、４、５、６、７が含まれてもよい。好ましくは、パラメータμの値には−３、−２、−１、０、１、２、３、４が含まれる。さらに好ましくは、パラメータμの値には−２、−１、０、１、２が含まれる。１つの固定パラメータセットのみをＶ２Ｖの唯一の使用範囲として選択して配置する場合、ＮＲ  Ｖ２Ｖ及びＬＴＥ  Ｖ２Ｖの共存問題を考慮して、μ=０、即ち、サブキャリア間隔が１５  ｋＨｚであるパラメータセット配置を選択する必要がある。
【０１３１】
［５−２．ＮＲ  Ｖ２Ｘ自動キューリング運転シーンの例］
図１５は、Ｖ２Ｘの４つのタイプの使用シーンを示す概略図である。
【０１３２】
図１５に示すように、Ｖ２Ｘは、４つのカテゴリの使用シーンを含み、それぞれ、自動キューリング運転（ｐｌａｔｏｏｎｉｎｇ）、リモート運転（ｒｅｍｏｔｅ  ｄｒｉｖｉｎｇ）、強化された運転（ａｄｖａｎｃｅｄ  ｄｒｉｖｉｎｇ）及び拡張サポートセンサー（ｅｘｔｅｎｄｅｄ  ｓｅｎｓｏｒｓ）であり、各使用シーンはいずれも本開示の技術を適用して、配置可能なパラメータセット設計をサポートすることができる。
【０１３３】
以下で自動キューリング運転シーンの例をさらに詳細に説明する。図１６は、本開示の技術によるＶ２Ｘの自動キューリング運転（ｐｌａｔｏｏｎｉｎｇ）シーンにおける適用例を示す概略図である。
【０１３４】
図１６に示すように、自動キューリング運転シーンでは、車列管理者である先頭の車ユーザーは、車列運転プロセスのリソース申請、割り当て及び公開情報ブロードキャストを担当する必要がある。車列管理者は、同時に、パラメータセット配置４からパラメータセット配置６を利用して、車両ユーザー１、２及び３とＶ２Ｖ通信を実行し、これは、図１４を参照して上述した適用シーンの例と同様であり、ここで再度詳細に説明しない。
【０１３５】
ここで、ブロードキャスト通信を例として、当該シーンでは車列管理者が車列メンバー間のブロードキャスト通信に使用されるパラメータセットを申請することを担当する例を説明する。具体的な説明は次のとおりであり、先頭の車のユーザーと車列メンバーは、ユーザーの基本情報を互いに共有し、当該ユーザーの基本情報は、移動速度、サービスタイプ、情報処理能力（キャリアアグリゲーションをサポートするかどうか、受信機の処理能力など）、伝送されるデータサービスの優先度、リソース割り当て状況などを含むがこれらに限定されない。
【０１３６】
車列管理者である先頭の車のユーザーは、他の車列メンバーのユーザーの基本情報を知っており、先頭の車のユーザーによって、車列メンバー間の情報のブロードキャストに使用されるパラメータセットを選択することができる。その代わりに、先頭の車のユーザーが、知っている他の車列メンバーの情報を基地局に転送して、基地局によってパラメータセットを選択してもよい。
【０１３７】
先頭の車のユーザーは、ＳＣＩシグナリング又は車列内部通信などの方式を介して他の車列メンバーにユーザーによって選択されたパラメータセット配置を通知する。当該選択されたパラメータセット配置はブロードキャスト、マルチキャスト及び／又はユニキャストの方式を介して他の車列メンバーユーザーに送信されてもよい。
【０１３８】
車列メンバーは、関連するシグナリングを復号化することによって、選択されたパラメータセット配置を取得する。
【０１３９】
先頭の車のユーザーは、選択されたパラメータセット配置を利用して、情報ブロードキャストを実行し、他の車列メンバーは、復号化によって得られたパラメータセット配置に基づいて、先頭の車のユーザーによってブロードキャストされた情報を受信する。
【０１４０】
このシーンの例では、ブロードキャスト通信における異なる内容に対して、異なるパラメータセットを提供することができ、このようにして、リソースの使用効率を効果的に向上させることができる。
【０１４１】
また、図１６に示すパラメータセット配置１からパラメータセット配置３は、各車列メンバーが車両管理者からのブロードキャスト内容を受信しながら他の車両のユーザーとＶ２Ｖ通信を実行することができることを表すことに注意されたい。パラメータセット配置１からパラメータセット配置３はそれぞれ、車両管理者がキューメンバー１からキューメンバー３とＶ２Ｖ通信するときに使用するパラメータセット配置を表し、それらは同じであってもよく又は、異なってもよく、ここで再度詳細に説明しない。
【０１４２】
ｐｌａｔｏｏｎｉｎｇシーンの特性、即ち、先頭の車が車両管理者として車列メンバー管理及びリソース申請を行い、車列メンバーの間の頻繁な通信が、カメラ情報などの大量のデータ情報を共有する必要があり、またセキュリティ情報などを共有する必要もある可能性があることを考慮し、このシーンではサポートできるパラメータセットに対応するパラメータμの値には−４、−３、−２、−１、０、１、２、３、４が含まれてもよく、好ましくは、−２、−１、０、１、２が含まれる。１つの固定パラメータセットのみを選択して配置する場合、ＮＲ  Ｖ２Ｘ及びＬＴＥ  Ｖ２Ｘの共存問題を考慮して、μ=０、即ち、サブキャリア間隔が１５ｋＨｚであるパラメータセット配置を選択する必要がある。
【０１４３】
［５−３．ＮＲサイドリンクキャリアアグリゲーション通信シーンの例］
図１７は、本開示の技術によるキャリアアグリゲーション通信シーンにおける適用例を示す概略図である。
【０１４４】
図１７に示すように、車両ユーザー１と車両ユーザー２が上記のプロセスに基づいて基本的なサイドリンク通信（ここでＶ２Ｖ）を確立した後、通信の両方のニーズに基づいて、又は上位層シグナリングからの指示に従って、車両ユーザー１と車両ユーザー２がキャリアアグリゲーション通信を実行するために、例えば、測定、キャリア選択、アグリゲーションなどの動作を実行する必要があり、各アグリゲーションのコンポーネントキャリアに対して適切なパラメータセット配置することができる。図１７に示す例では、車両ユーザー１が送信者であり、車両ユーザー２が受信者であり、コンポーネントキャリアＣＣ０、コンポーネントキャリアＣＣ１、コンポーネントキャリアＣＣ２及びコンポーネントキャリアＣＣ３の４つのコンポーネントキャリアがアグリゲーションされると仮定する。
【０１４５】
各コンポーネントキャリアによってローディングされるサービスタイプ、各キャリアの通信条件などに対して、適切なパラメータセットを各コンポーネントキャリアに対してそれぞれ配置することができる。具体的な配置プロセスは次のとおりであり、車両ユーザー１は、上位層によって配置されるか又は車両ユーザー２とサイドリンク通信（例えば、上記の確立された基本的なＶ２Ｖ通信）を実行することによって、キャリアアグリゲーションによって伝送される必要があるサービス内容、キャリア選択状況、リソース割り当てなどの基本的なメッセージを取得する。
【０１４６】
・各コンポーネントキャリアに対応するサービスタイプ、通信条件などに基づいて、異なるコンポーネントキャリアが通信プロセスでは使用するパラメータセット配置を選択する。ここで、選択は基地局によって実行されるか、車両ユーザー１によって単独に選択されるか、又は車両ユーザー１と車両ユーザー２とによって共同選択されてもよく、本開示はこれを具体的に限定しない。
【０１４７】
・車両ユーザー１は、コンポーネントキャリアの１つを介して、各コンポーネントキャリアに対して選択したパラメータセット配置を車両ユーザー２に通知するか、又は、基地局によって、車両ユーザー１及び車両ユーザー２のそれぞれに、各コンポーネントキャリアに対応するパラメータセット配置を送信してもよい。
【０１４８】
・車両ユーザー１及び車両ユーザー２は各コンポーネントキャリアに配置したパラメータセットに基づいてキャリアアグリゲーション通信を実行する。
【０１４９】
図１７に示す例では、コンポーネントキャリアＣＣ０及びコンポーネントキャリアＣＣ１はパラメータセット配置１に対応し、コンポーネントキャリアＣＣ２及びコンポーネントキャリアＣＣ３はパラメータセット配置２に対応するが、これは一例にすぎず、限定ではなく、コンポーネントキャリアＣＣ０からＣＣ３は実際の通信状況に基づいて同じ又は異なるパラメータセット配置に対応する。
【０１５０】
キャリアアグリゲーション通信シーンでは、各コンポーネントキャリア伝送の内容、通信条件などの要素に基づいて、対応するパラメータセット配置を選択するため、キャリアアグリゲーションの効率を効果的に向上させることができる。
【０１５１】
キャリアアグリゲーションの特性、即ち、通信の両方は複数のコンポーネントキャリアを使用して同時に通信するか又は同時に通信しないことが考慮される。例えば、異なるコンポーネントキャリアは、異なるタイプの通信サービスを伝送することができ、当該シーンでサポートできるパラメータセットに対応するパラメータμの値には−４、−３、−２、−１、０、１、２、３、４が含まれてもよく、好ましくは、−４、−３、−２、−１、０、１、２が含まれる。特に、キャリアアグリゲーション通信ではシグナリング及び制御情報伝送を実行するコンポーネントキャリアにより適したパラメータμの値には０、１、２が含まれてもよく、データサービス伝送を実行するコンポーネントキャリアにより適したパラメータμの値には−２、−１、０が含まれてもよい。
【０１５２】
［５−４．ＮＲ  Ｄ２Ｄシーンの例］
図１８は、本開示の技術によるＤ２Ｄ通信シーンにおける適用例を示す概略図である。
【０１５３】
図１８に示すように、装置１、装置２及び装置３はいずれも基地局のカバレッジ内にあり、さらに、装置２はそれぞれ装置１及び装置３と装置間（Ｄ２Ｄ）通信を実行する。装置２と装置１との間の通信内容は装置２と装置３との間の通信内容と必ずしも同じではなく、異なるパラメータセット配置に適用可能である。また、伝送内容及び要求が変更されると、装置の間で装置間通信に使用されるパラメータセット配置も変更される。可能な切り替えプロセスは次のようになる。
【０１５４】
・装置２と装置１は、図１８の実線矢印で示されるように、パラメータセット配置１を使用して装置間通信を実行する。
【０１５５】
・装置２と装置１との装置間通信のサービス内容及び要求、通信条件などが変更され、通信プロセスはパラメータセット配置１に適用できなくなり、パラメータセット配置３に適用できる。
【０１５６】
・装置２及び装置１は、図１８の点線の矢印で示されるように、約束時間が満了した後、装置間通信のためにパラメータセット配置３に切り替える。
【０１５７】
Ｄ２Ｄシーンでは、異なる通信ニーズに応じて異なるパラメータセット配置を切り替えることができるため、シーン変化による影響に効果的に対処することができる。
【０１５８】
同様に、マシン型通信（ＭＴＣ）シーン及びその他のサイドリンク通信シーンでは、通信要求の変化に応じて、配置が最適なパラメータセットを柔軟に選択することができる。
【０１５９】
装置間通信の特性を考慮すると、当該シーンでサポートできるパラメータセットに対応するパラメータμの値には−２、−１、０、１、２、３、４、５、６、７が含まれてもよく、好ましく、−２、−１、０、１、２、３が含まれる。
【０１６０】
［５−５．ＮＲドローン通信シーンの例］
図１９は、本開示の技術によるドローン通信シーンにおける適用例を示す概略図である。
【０１６１】
図１９に示す例では、ドローン１は、先頭のユーザーとして、先頭の車のユーザーと同様の機能を担当することができる。図１９に示すドローン通信シーンにおける適用例は、図１６を参照して上述したＶ２Ｘ自動キューリング運転シーンにおける適用例と基本的に同じであり、ここで再度説明しない。相違点は、ドローン通信の特性を考慮してパラメータセットを選択するときに、例えば、ユーザー装置の現在の高さ、標高、風速、気圧、温度、可視性、湿度などのより多い要素もさらに考慮する必要がある。
【０１６２】
ドローン通信シーンの特性、即ち、Ｖ２Ｘシーンよりも高い遅延要求及びデータ量要求を考慮すると、当該シーンでサポートできるパラメータセットに対応するパラメータμの値には−７、−６、−−５、−４、−３、−２、−１、０、１、２、３、４、５、６、７、８が含まれてもよい。通信の信頼性が優先的に考慮されると、パラメータμの値には２、３、４、５が含まれることが好ましく、通信の有効性が優先的に考慮されると、パラメータμの値には−６、−５、−４、−３が含まれることが好ましい。
【０１６３】
［５−６．ＮＲ  Ｖ２Ｉシーンの例］
図２０は、本開示の技術によるＶ２Ｉシーンにおける適用例を示す概略図である。
【０１６４】
図２０に示すように、車両ユーザー１及び車両ユーザー２はそれぞれ、基地局及び路側機（Ｒｏａｄｓｉｄｅ  Ｕｎｉｔ、ＲＳＵ）と車両からインフラへの通信（Ｖ２Ｉ）を実行するため、２つの異なるパラメータセット配置、即ち、パラメータセット配置１及びパラメータセット配置２にそれぞれ適用可能である。車両からインフラへの通信（Ｖ２Ｉ）内容及び要求が変更されると、通信プロセスに適用できるパラメータセット配置も変更される。具体的なパラメータセット選択は、基地局又は路側機設備によって発行されて配置され、これにより、車両ユーザーは通信プロセスで、使用のパラメータセットを動的に調整することができる。
【０１６５】
Ｖ２Ｉシーンの通信特性を考慮すると、通信の両方は車両ユーザーと比較的に固定のインフラであり、当該シーンでサポートできるパラメータセットに対応するパラメータμの値には−２、−１、０、１、２、３、４、５が含まれてもよく、好ましくは、−１、０、１、２が含まれる。
【０１６６】
以上、各適用シーンの特性に対して、各適用シーンでのパラメータセット配置の選択可能な範囲が与えられたが、実際の状況に応じて、各適用シーンにおいて、上記の例示的な選択範囲と異なるパラメータセットを選択することができ、これらの異なるパラメータセット選択は同様に本開示の保護範囲内に入ると考えられるべきである。
【０１６７】
以上、本開示の技術による適用シーンの例を図１４から図２０を参照して説明したが、これは、一例にすぎず、限定ではないことを理解すべきであり、また、当業者は、本開示の原理及び適用シーンの特性に従って、上記の例示的なシーン以外の任意のサイドリンク通信シーンに適用するように、本開示の技術を適切的に変更してもよいことに注意されたい。
【０１６８】
上記の本開示の実施例及び適用シーンの例によれば、従来の技術におけるサイドリンク通信における固定のパラメータセット配置と異なり、ＮＲサイドリンク通信の特性に対して、サイドリンク通信の各適用シーンにおける通信パフォーマンスの要件を満たすために、実際の適用シーンに応じて１つ又は複数の要素を総合的に考慮してパラメータセットを柔軟且つ合理的に配置することが提案されている。また、提案された配置可能なパラメータセットに対して、サイドリンク通信の送信側と受信側の両方がパラメータセットの配置を同期できるようにする効果的な解決策も提供されている。
【０１６９】
上記の利点の代わりに又は上記の利点と併せて、本開示の技術的内容を読んだ後、他の利点及び効果も当業者にとって明らかになり、ここでは一つ一つ述べないことに留意されたい。
【０１７０】
なお、以上、基地局によってパラメータセットを選択する場合とユーザー装置によってパラメータセットを選択する場合を例として本開示の実施例を説明したが、これは、説明の便宜及び明確さのためであり、本発明を限定するものではなく、本開示の技術を実際に適用する場合、上記の実施例を適切的に組み合わせてもよい。また、基地局又はユーザー装置がサイドリンク通信に最終的に使用するパラメータセットを選択する際には、システム安定性とスペクトル効率のバランスを取るために、実際の適用シーンに応じて具体的に上記の各選択要素を考慮する必要があることは注意されたい。
【０１７１】
また、本開示の実施例によれば、電子装置をさらに提供し、当該電子装置は、トランシーバ及び１つ又は複数のプロセッサを含むことができ、これらの１つ又は複数のプロセッサは、本開示の実施例による上記の無線通信システムにおける方法又は装置における対応するユニットの機能を実行するように配置することができ、トランシーバは、対応する通信機能を担うように配置できる。
【０１７２】
本開示の実施例による記憶媒体及びプログラム製品における機械実行可能な指令は、上記の装置実施例に対応する方法を実行するように配置されてもよいので、ここで詳細に説明されていない内容は、上記の対応する位置の説明を参照することができ、ここで再度説明しないことは理解されるべきである。
【０１７３】
これに対応して、上記した機械実行可能な指令が含まれるプログラム製品をローディングするための記憶媒体も本発明の開示に含まれる。当該記憶媒体は、フロッピーディスク（登録商標）、光ディスク、光磁気ディスク、メモリカード、メモリスティックなどを含むが、これらに限定されない。
【０１７４】
［６．本開示の装置及び方法の実施例を実施するためのコンピューティング装置］
また、上記の一連の処理及び装置は、ソフトウェア及び／又はファームウェアによって実現することができることも注意されたい。ソフトウェア又はファームウェアによって実現する場合に、記憶媒体又はネットワークから専用のハードウェア構成を有するコンピュータ、例えば、図２１に示す汎用コンピュータ２１００に当該ソフトウェアを構成するプログラムをインストールし、当該コンピュータは、様々なプログラムがインストールされた場合に、様々な機能などを実行することができる。図２１は、本開示の実施例における使用可能な情報処理装置であるパーソナルコンピュータの構成例を示すブロック図である。
【０１７５】
図２１では、中央処理装置（即ち、ＣＰＵ）２１０１は、読み取り専用メモリ（ＲＯＭ）２１０２に記憶されたプログラム又は記憶部分２１０８からランダムアクセスメモリ（ＲＡＭ）２１０３にロードされたプログラムに従って様々な処理を実行する。ＲＡＭ２１０３には、必要に応じて、ＣＰＵが様々な処理などを実行するときに必要なデータも記憶される。
【０１７６】
ＣＰＵ２１０１、ＲＯＭ２１０２、及びＲＡＭ２１０３はバス２１０４を介して互いに接続される。入力／出力インターフェース２１０５もバス２１０４に接続される。
【０１７７】
キーボード、マウスなどを含む入力部分２１０６、例えば陰極線管（ＣＲＴ）、液晶ディスプレイ（ＬＣＤ）などのディスプレイ、スピーカなどを含む出力部分２１０７、ハードウェアなどを含む記憶部分２１０８、例えばＬＡＮカードやモデムなどのネットワークインターフェースカードを含む通信部分２１０９は、入力／出力インターフェース２１０５に接続される。通信部分２１０９は、例えばインターネットなどのネットワークを介して通信処理を実行する。
【０１７８】
必要に応じて、ドライバー２１１０も入力／出力インターフェース２１０５に接続される。例えば磁気ディスク、光ディスク、光磁気ディスク、半導体メモリなどのリムーバブルメディア２１１１は、その中から読み出したコンピュータプログラムが必要に応じて記憶部分２１０８にインストールされるように、必要に応じてドライバー２１１０に装着される。
【０１７９】
ソフトウェアによって上記の一連の処理を実現する場合に、インターネットなどのネットワークやリムーバブルメディア２１１１などの記憶媒体から、ソフトウェアを構成するプログラムをインストールする。
【０１８０】
当業者が理解すべきことは、このような記憶媒体が図２１に示すような、その中にプログラムが記憶され、装置とは別途配布してユーザーにプログラムを供給するリムーバブルメディア２１１１に限定されない。リムーバブルメディア２１１１の例は、磁気ディスク（フロッピーディスクを含む）、光ディスク（光ディスク読み取り専用メモリ（ＣＤ−ＲＯＭ）とデジタル多用途ディスク（ＤＶＤ）を含む）、光磁気ディスク（ミニディスク（ＭＤ）（登録商標）を含む）、及び半導体メモリを含む。或いは、記憶媒体は、ＲＯＭ２１０２、記憶部分２１０８に含まれたハードウェアなどの、その中にプログラムが記憶され、これらが含まれる装置と一緒にユーザーに配布されるものであってもよい。
【０１８１】
［７．本開示の技術の適用例］
本開示の技術は様々な製品に適用することができる。例えば、本開示で言及された基地局は、ｇＮｏｄｅＢ（ｇＮＢ）、任意のタイプのｅＮＢ（例えばマクロｅＮＢや小ｅＮＢ）、送受信ポイント（ＴＲＰ）、エンタープライズロング・ターム・エボリューション（ｅＬＴＥ）−ｅＮＢなどとして実現することができる。小ｅＮＢは、例えばピコｅＮＢ、マイクロｅＮＢ、及び家庭(フェムト)ｅＮＢなどのマクロセルよりも小さいセルをカバーできるｅＮＢであってもよい。その代わりに、基地局は、例えばＮｏｄｅＢと基地局トランシーバ(Ｂａｓｅ  Ｔｒａｎｓｃｅｉｖｅｒ  Ｓｔａｔｉｏｎ、ＢＴＳ)のような任意の他のタイプの基地局として実現すことができる。基地局は、無線通信を制御するように配置される主体(基地局装置とも呼ばれる)と、主体と異なるところに設けられる１つ又は複数のリモート無線ヘッド(Ｒｅｍｏｔｅ  Ｒａｄｉｏ  Ｈｅａｄ、ＲＲＨ)とを含むことができる。また、後述する様々なタイプの端末はいずれも、基地局機能を一時的又は半永久的に実行することによって、基地局として機能することができる。
【０１８２】
例えば、本開示で言及されたユーザー装置は、車両、携帯端末(例えばスマートフォン、タブレットパーソナルコンピューター(ＰＣ)、ノートＰＣ、携帯ゲーム端末、ポータブル／ドングルモバイルルーター、及びデジタル撮影装置など)又は車載端末(カーナビゲーション装置など)、ドローン、移動局として実現することができる。ユーザー装置は、マシンツーマシン(Ｍ２Ｍ)通信を実行する端末(マシン型通信(ＭＴＣ)端末とも呼ばれる)として実現することができる。また、ユーザー装置は、上記端末のそれぞれに搭載された無線通信モジュール(例えば単一のチップが含まれる集積回路モジュール)であってもよい。
【０１８３】
以下、本開示による適用例について図２２乃至図２５を参照して説明する。
【０１８４】
＜７−１．基地局についての適用例＞
（第１の適用例）
図２２は、本開示の技術を適用できるｅＮＢの概略構成の第１の例を示すブロック図である。ｅＮＢ１４００は１つ又は複数のアンテナ１４１０及び基地局装置１４２０を含む。基地局装置１４２０と各アンテナ１４１０はＲＦケーブルを介して接続されてもよい。
【０１８５】
アンテナ１４１０のそれぞれは単一又は複数のアンテナ素子(例えば多入力多出力(ＭＩＭＯ)アンテナに含まれる複数のアンテナ素子)を含み、基地局装置１４２０の無線信号の送受信に使用される。図２２に示すように、ｅＮＢ１４００は複数のアンテナ１４１０を含んでもよい。例えば、複数のアンテナ１４１０はｅＮＢ１４００に使用される複数の周波数帯域と互換性があり得る。図２２に、ｅＮＢ１４００には複数のアンテナ１４１０が含まれる例を示したが、ｅＮＢ１４００は単一のアンテナ１４１０を含んでもよい。
【０１８６】
基地局装置１４２０は、コントローラ１４２１、メモリ１４２２、ネットワークインターフェース１４２３及び無線通信インターフェース１４２５を含む。
【０１８７】
コントローラ１４２１は、例えばＣＰＵ又はＤＳＰであり、且つ、基地局装置１４２０の上位層の各種機能を動作させる。例えば、コントローラ１４２１は、無線通信インターフェース１４２５によって処理された信号におけるデータに基づいてデータパケットを生成し、ネットワークインターフェース１４２３を介して、生成されたパケットを伝達する。コントローラ１４２１は、複数のベースバンドプロセッサからのデータをバンドルして、バンドルパケットを生成し、生成されたバンドルパケットを伝達することができる。コントローラ１４２１は以下のような制御を実行する論理機能を有してもよく、当該制御は例えば、無線リソース制御、無線ベアラ制御、移動管理、受付制御、スケジューリングなどである。当該制御は、近くのｅＮＢ又はコアネットワークノードと結合して実行することができる。メモリ１４２２はＲＡＭとＲＯＭを含み、コントローラ１４２１によって実行されるプログラム及び様々なタイプの制御データ(例えば、端末リスト、送信パワーデータ及びスケジューリングデータ)が記憶される。
【０１８８】
ネットワークインターフェース１４２３は、基地局装置１４２０をコアネットワーク１４２４の通信インターフェースに接続するためのものである。コントローラ１４２１は、ネットワークインターフェース１４２３を介してコアネットワークノード又は別のｅＮＢと通信することができる。この場合、ｅＮＢ１４００とコアネットワークノード又は他のｅＮＢとは、論理インターフェース(例えばＳ１インターフェースとＸ２インターフェース)によって互いに接続される。ネットワークインターフェース１４２３は、有線通信インターフェース又は無線バックホール回線用の無線通信インターフェースであってもよい。ネットワークインターフェース１４２３が無線通信インターフェースであれば、無線通信インターフェース１４２５によって使用される周波数帯域と比べると、ネットワークインターフェース１４２３はより高い周波数帯域を無線通信に使用することができる。
【０１８９】
無線通信インターフェース１４２５は任意のセルラー通信方式(例えば、長期的な進化(ＬＴＥ)、ＬＴＥー先進及び新しい無線アクセス技術（ＮＲ）)をサポートし、アンテナ１４１０を介してｅＮＢ１４００のセルに位置する端末への無線接続を提供する。無線通信インターフェース１４２５は例えば、サイドリンク通信（例えば、Ｖ２Ｉシーン）をサポートするためのＰＣ５インターフェースであってもよい。無線通信インターフェース１４２５は通常、例えばベースバンド(ＢＢ)プロセッサ１４２６とＲＦ回路１４２７を含むことができる。ＢＢプロセッサ１４２６は例えば、符号化／復号化、変調／復調、多重化／多重化解除を実行すると共に、レイヤー(例えばＬ１、メディアアクセス制御(ＭＡＣ)、無線リンク制御(ＲＬＣ)、パケットデータアグリゲーションプロトコル(ＰＤＣＰ))の様々なタイプの信号処理を実行することができる。コントローラ１４２１の代わりに、ＢＢプロセッサ１４２６は、上記した論理機能の一部又は全部を有してもよい。ＢＢプロセッサ１４２６は、通信制御プログラムが記憶されるメモリであってもよく、或いは、プログラムを実行するように配置されるプロセッサ及び関連する回路を含むモジュールであってもよい。プログラムの更新は、ＢＢプロセッサ１４２６の機能を変更させることができる。当該モジュールは、基地局装置１４２０のスロットに挿入されるカード又はブレッドであってもよい。その代わりに、当該モジュールは、カード又はブレッドに搭載されるチップであってもよい。同時に、ＲＦ回路１４２７は、例えばミキサ、フィルタ、増幅器を含み、アンテナ１４１０を介して無線信号を送受信してもよい。
【０１９０】
図２２に示すように、無線通信インターフェース１４２５は複数のＢＢプロセッサ１４２６を含んでもよい。例えば、複数のＢＢプロセッサ１４２６は、ｅＮＢ１４００に使用される複数の周波数帯域と互換性があり得る。図２２に示すように、無線通信インターフェース１４２５は複数のＲＦ回路１４２７を含んでもよい。例えば、複数のＲＦ回路１４２７は複数のアンテナ素子と互換性があり得る。図２２には、無線通信インターフェース１４２５に複数のＢＢプロセッサ１４２６と複数のＲＦ回路１４２７を含む例を示したが、無線通信インターフェース１４２５は単一のＢＢプロセッサ１４２６又は単一のＲＦ回路１４２７を含んでもよい。
【０１９１】
（第２の適用例）
図２３は、本開示の技術を適用できるｅＮＢの概略構成の第２の例を示すブロック図である。ｅＮＢ１５３０は１つ又は複数のアンテナ１５４０と、基地局装置１５５０と、ＲＲＨ１５６０とを含む。ＲＲＨ１５６０と各アンテナ１５４０はＲＦケーブルを介して互いに接続することができる。基地局装置１５５０とＲＲＨ１５６０は光ファイバケーブルのような高速回線を介して互いに接続することができる。
【０１９２】
アンテナ１５４０のそれぞれは単一又は複数のアンテナ素子(例えば、ＭＩＭＯアンテナに含まれる複数のアンテナ素子)を含み、ＲＲＨ１５６０の無線信号の送受信に使用される。図２３に示すように、ｅＮＢ１５３０は複数のアンテナ１５４０を含んでもよい。例えば、複数のアンテナ１５４０はｅＮＢ１５３０に使用される複数の周波数帯域と互換性があり得る。図２３に、ｅＮＢ１５３０に複数のアンテナ１５４０が含まれる例を示したが、ｅＮＢ１５３０は単一のアンテナ１５４０を含んでもよい。
【０１９３】
基地局装置１５５０は、コントローラ１５５１と、メモリ１５５２と、ネットワークインターフェース１５５３と、無線通信インターフェース１５５５と、接続インターフェース１５５７とを含む。コントローラ１５５１、メモリ１５５２、及びネットワークインターフェース１５５３は図２２を参照して説明したコントローラ１４２１、メモリ１４２２、ネットワークインターフェース１４２３と同様である。
【０１９４】
無線通信インターフェース１５５５は、任意のセルラー通信方式(例えばＬＴＥ、ＬＴＥー先進、及びＮＲ)をサポートし、ＲＲＨ１５６０とアンテナ１５４０を介してＲＲＨ１５６０に対応するセクタに位置する端末への無線通信を提供する。無線通信インターフェース１５５５は例えば、サイドリンク通信（例えば、Ｖ２Ｉシーン）をサポートするためのＰＣ５インターフェースであってもよい。無線通信インターフェース１５５５は通常、例えばＢＢプロセッサ１５５６を含んでもよい。ＢＢプロセッサ１５５６が接続インターフェース１５５７を介してＲＲＨ１５６０のＲＦ回路１５６４に接続する以外、ＢＢプロセッサ１５５６は図２２を参照して説明したＢＢプロセッサ１４２６と同様である。図２３に示すように、無線通信インターフェース１５５５は複数のＢＢプロセッサ１５５６を含んでもよい。例えば、複数のＢＢプロセッサ１５５６はｅＮＢ１５３０に使用される複数の周波数帯域と互換性があり得る。図２３に、無線通信インターフェース１５５５に複数のＢＢプロセッサ１５５６が含まれる例を示したが、無線通信インターフェース１５５５は単一のＢＢプロセッサ１５５６を含んでもよい。
【０１９５】
接続インターフェース１５５７は基地局装置１５５０(無線通信インターフェース１５５５)をＲＲＨ１５６０に接続するためのインターフェースである。接続インターフェース１５５７は基地局装置１５５０(無線通信インターフェース１５５５)をＲＲＨ１５６０の上記した高速回線における通信に接続するための通信モジュールであってもよい。
【０１９６】
ＲＲＨ１５６０は、接続インターフェース１５６１と無線通信インターフェース１５６３を含む。
【０１９７】
接続インターフェース１５６１は、ＲＲＨ１５６０(無線通信インターフェース１５６３)を基地局装置１５５０に接続するためのインターフェースである。接続インターフェース１５６１は、上記した高速回線における通信のための通信モジュールであってもよい。
【０１９８】
無線通信インターフェース１５６３は、アンテナ１５４０を介して無線信号を送受信する。無線通信インターフェース１５６３は通常、例えばＲＦ回路１５６４を含んでもよい。ＲＦ回路１５６４は例えばミキサ、フィルタ、増幅器を含み、アンテナ１５４０を介して無線信号を送受信してもよい。図２３に示すように、無線通信インターフェース１５６３は複数のＲＦ回路１５６４を含んでもよい。例えば、複数のＲＦ回路１５６４は複数のアンテナ素子をサポートすることができる。図２３に、無線通信インターフェース１５６３に複数のＲＦ回路１５６４が含まれる例を示したが、無線通信インターフェース１５６３は単一のＲＦ回路１５６４を含んでもよい。
【０１９９】
図２２及び図２３に示すｅＮＢ１４００及びｅＮＢ１５３０では、上記基地局側の装置における通信ユニットは、無線通信インターフェース１４２５並びに無線通信インターフェース１５５５及び／又は無線通信インターフェース１５６３によって実現することができる。上記基地局側の装置の機能の少なくとも一部はコントローラ１４２１及びコントローラ１５５１によって実現することもできる。
【０２００】
＜７−２．ユーザー装置についての適用例＞
（第１の適用例）
図２４は、本開示の技術を適用できるスマートフォン１６００の概略構成の一例を示すブロック図である。スマートフォン１６００はプロセッサ１６０１、メモリ１６０２、記憶装置１６０３、外部接続インターフェース１６０４、撮像装置１６０６、センサー１６０７、マイク１６０８、入力装置１６０９、表示装置１６１０、スピーカ１６１１、無線通信インターフェース１６１２、１つ又は複数のアンテナスイッチ１６１５、１つ又は複数のアンテナ１６１６、バス１６１７、バッテリー１６１８及び補助コントローラ１６１９を含む。
【０２０１】
プロセッサ１６０１は、例えばＣＰＵ又はシステムオンチップ(ＳｏＣ)であってもよく、スマートフォン１６００のアプリケーション層と他の層の機能を制御することができる。メモリ１６０２はＲＡＭとＲＯＭを含み、データとプロセッサ１６０１によって実行されるプログラムが記憶される。記憶装置１６０３は例えば半導体メモリとハードディスクのような記憶媒体を含むことができる。外部接続インターフェース１６０４は外部装置(例えばメモリカードとユニバーサルシリアルバス(ＵＳＢ)装置)をスマートフォン１６００に接続するためのインターフェースである。
【０２０２】
撮像装置１６０６はイメージセンサー(例えば電荷結合デバイス(ＣＣＤ)と相補型金属酸化物半導体(ＣＭＯＳ))を含み、撮影した画像を生成する。センサー１６０７は例えば測定センサー、ジャイロセンサー、地磁気センサー及び加速度センサーのような１組みのセンサーを含んでもよい。マイク１６０８はスマートフォン１６００に入力された音をオーディオ信号に変換する。入力装置１６０９は例えば表示装置１６１０のスクリーンでのタッチを検出するように配置されるタッチセンサー、キーパッド、キーボード、ボタンやスイッチを含み、ユーザーから入力された動作又は情報を受信する。表示装置１６１０はスクリーン(例えば液晶ディスプレイ(ＬＣＤ)と有機発光ダイオード(ＯＬＥＤ)ディスプレイ)を含み、スマートフォン１６００の出力画像を表示する。スピーカ１６１１はスマートフォン１６００から出力したオーディオ信号を音に変換する。
【０２０３】
無線通信インターフェース１６１２は、任意のセルラー通信方式(例えば、ＬＴＥとＬＴＥ−先進)をサポートし、無線通信を実行する。また、無線通信インターフェース１６１２は例えば、様々なタイプのサイドリンク通信をサポートするためのＰＣ５インターフェースであってもよい。無線通信インターフェース１６１２は通常、例えばＢＢプロセッサ１６１３とＲＦ回路１６１４を含むことができる。ＢＢプロセッサ１６１３は例えば、符号化／復号化、変調／復調、多重化／多重化解除を実行すると共に、無線通信のための様々なタイプの信号処理を実行することができる。同時に、ＲＦ回路１６１４は例えばミキサ、フィルタ、増幅器を含み、アンテナ１６１６を介して無線信号を送受信することができる。無線通信インターフェース１６１２はその上にＢＢプロセッサ１６１３とＲＦ回路１６１４が集積される１つのチップモジュールであってもよい。図２４に示すように、無線通信インターフェース１６１２は複数のＢＢプロセッサ１６１３と複数のＲＦ回路１６１４を含んでもよい。図２４に、無線通信インターフェース１６１２に複数のＢＢプロセッサ１６１３と複数のＲＦ回路１６１４が含まれる例を示したが、無線通信インターフェース１６１２は単一のＢＢプロセッサ１６１３又は単一のＲＦ回路１６１４を含んでもよい。
【０２０４】
なお、セルラー通信方式の以外、無線通信インターフェース１６１２は、例えば短距離無線通信方式、近接通信方式や無線ローカルネットワーク(ＬＡＮ)方式などの別のタイプの無線通信方式をサポートすることができる。この場合、無線通信インターフェース１６１２は、各無線通信方式に対するＢＢプロセッサ１６１３とＲＦ回路１６１４を含んでもよい。
【０２０５】
アンテナスイッチ１６１５のそれぞれは無線通信インターフェース１６１２に含まれる複数の回路(例えば異なる無線通信方式に使用される回路)間でアンテナ１６１６の接続先を切り替える。
【０２０６】
アンテナ１６１６のそれぞれは単一又は複数のアンテナ素子(例えばＭＩＭＯアンテナに含まれる複数のアンテナ素子)を含み、無線通信インターフェース１６１２の無線信号の送受信に使用される。図２４に示すように、スマートフォン１６００は複数のアンテナ１６１６を含んでもよい。図２４に、スマートフォン１６００に複数のアンテナ１６１６が含まれる例を示したが、スマートフォン１６００は単一のアンテナ１６１６を含んでもよい。
【０２０７】
なお、スマートフォン１６００は、各無線通信方式に対するアンテナ１６１６を含んでもよい。この場合に、アンテナスイッチ１６１５はスマートフォン１６００の配置から省略されてもよい。
【０２０８】
バス１６１７は、プロセッサ１６０１、メモリ１６０２、記憶装置１６０３、外部接続インターフェース１６０４、撮像装置１６０６、センサー１６０７、マイク１６０８、入力装置１６０９、表示装置１６１０、スピーカ１６１１、無線通信インターフェース１６１２及び補助コントローラ１６１９を互いに接続する。バッテリー１６１８は給電線によって図２４に示すスマートフォン１６００の各ブロックに電力を供給し、給電線は図面において部分的に点線によって表される。補助コントローラ１６１９は例えばスリープモードでスマートフォン１６００の最少の必要な機能を動作させる。
【０２０９】
図２４に示すスマートフォン１６００では、上記のユーザー装置側の装置における通信ユニットは無線通信インターフェース１６１２によって実現することができる。上記のユーザー装置側の装置の機能の少なくとも一部は、プロセッサ１６０１又は補助コントローラ１６１９によって実現してもよい。
【０２１０】
（第２の適用例）
図２５は、本開示の技術を適用できるカーナビゲーション装置１７２０の概略構成の一例を示すブロック図である。カーナビゲーション装置１７２０はプロセッサ１７２１、メモリ１７２２、全球位置決めシステム(ＧＰＳ)モジュール１７２４、センサー１７２５、データインターフェース１７２６、コンテンツプレーヤー１７２７、記憶媒体インターフェース１７２８、入力装置１７２９、表示装置１７３０、スピーカ１７３１、無線通信インターフェース１７３３、１つ又は複数のアンテナスイッチ１７３６、１つ又は複数のアンテナ１７３７及びバッテリー１７３８を含む。
【０２１１】
プロセッサ１７２１は例えばＣＰＵ又はＳｏＣであり、カーナビゲーション装置１７２０のナビゲーション機能と他の機能を制御してもよい。メモリ１７２２はＲＡＭとＲＯＭを含み、データとプロセッサ１７２１によって実行されるプログラムが記憶される。
【０２１２】
ＧＰＳモジュール１７２４は、ＧＰＳ衛星から受信したＧＰＳ信号を使用してカーナビゲーション装置１７２０の位置(例えば、緯度、経度、高度)を測定する。センサー１７２５は、例えばジャイロセンサー、地磁気センサー及び気圧センサーのような１組みのセンサーを含んでもよい。データインターフェース１７２６は図示しない端末を介して例えば車のネットワーク１７４１に接続され、車両によって生成されたデータ(例えば、車速データ)を取得する。
【０２１３】
コンテンツプレーヤー１７２７は、記憶媒体(例えば、ＣＤとＤＶＤ)に記憶されたコンテンツを再生して、当該記憶媒体は記憶媒体インターフェース１７２８に挿入される。入力装置１７２９は、例えば表示装置１７３０のスクリーンでのタッチを検出するように配置されるタッチセンサー、ボタン又はスイッチを含み、ユーザーから入力された動作又は情報を受信する。表示装置１７３０は、例えばＬＣＤやＯＬＥＤディスプレイのスクリーンを含み、ナビゲーション機能の画像又は再生されたコンテンツを表示する。スピーカ１７３１はナビゲーション機能の音又は再生されたコンテンツを出力する。
【０２１４】
無線通信インターフェース１７３３は、任意のセルラー通信方式(例えば、ＬＴＥ、ＬＴＥ−先進、及び新しい無線アクセス技術ＮＲ)をサポートし、無線通信を実行することができる。また、無線通信インターフェース１７３３は例えば、サイドリンク通信（例えば、Ｖ２Ｘ）をサポートするためのＰＣ５インターフェースであってもよい。無線通信インターフェース１７３３は通常、例えばＢＢプロセッサ１７３４とＲＦ回路１７３５を含むことができる。ＢＢプロセッサ１７３４は、例えば符号化／復号化、変調／復調、及び多重化／多重化解除を実行すると共に、無線通信に使用される様々なタイプの信号処理を実行することができる。同時に、ＲＦ回路１７３５は例えばミキサ、フィルタ、増幅器を含み、アンテナ１７３７を介して無線信号を送受信することができる。無線通信インターフェース１７３３はその上にＢＢプロセッサ１７３４とＲＦ回路１７３５が集積される１つのチップモジュールであってもよい。図２５に示すように、無線通信インターフェース１７３３は複数のＢＢプロセッサ１７３４と複数のＲＦ回路１７３５を含んでもよい。図２５に、無線通信インターフェース１７３３に複数のＢＢプロセッサ１７３４と複数のＲＦ回路１７３５が含まれる例を示したが、無線通信インターフェース１７３３は単一のＢＢプロセッサ１７３４又は単一のＲＦ回路１７３５を含んでもよい。
【０２１５】
なお、セルラー通信方式の以外、無線通信インターフェース１７３３は、例えば短距離無線通信方式、近接通信方式、及び無線ＬＡＮ方式のような別のタイプの無線通信方式をサポートすることができる。この場合、各無線通信方式に対して、無線通信インターフェース１７３３はＢＢプロセッサ１７３４とＲＦ回路１７３５を含んでもよい。
【０２１６】
アンテナスイッチ１７３６のそれぞれは無線通信インターフェース１７３３に含まれる複数の回路(例えば、異なる無線通信方式に使用される回路)間でアンテナ１７３７の接続先を切り替える。
【０２１７】
アンテナ１７３７のそれぞれは単一又は複数のアンテナ素子(例えばＭＩＭＯアンテナに含まれる複数のアンテナ素子)を含み、無線通信インターフェース１７３３の無線信号の送受信に使用される。図２５に示すように、カーナビゲーション装置１７２０は複数のアンテナ１７３７を含んでもよい。図２５に、カーナビゲーション装置１７２０に複数のアンテナ１７３７が含まれる例を示したが、カーナビゲーション装置１７２０は単一のアンテナ１７３７を含んでもよい。
【０２１８】
なお、カーナビゲーション装置１７２０は各無線通信方式に対するアンテナ１７３７を含むことができる。この場合、アンテナスイッチ１７３６はカーナビゲーション装置１７２０の配置から省略されてもよい。
【０２１９】
バッテリー１７３８は給電線によって図２５に示すカーナビゲーション装置１７２０の各ブロックに電力を供給し、給電線は図面において部分的に点線によって示される。バッテリー１７３８は車両から供給した電力を蓄積する。
【０２２０】
図２５に示すカーナビゲーション装置１７２０では、上記のユーザー装置側の装置における通信ユニットは無線通信インターフェース１７３３によって実現することができる。上記のユーザー装置側の装置の機能の少なくとも一部は、プロセッサ１７２１によって実現することもできる。
【０２２１】
本開示の技術は、カーナビゲーション装置１７２０、車のネットワーク１７４１及び車両モジュール１７４２のうち１つ又は複数のブロックが含まれる車載システム(又は車両)１７４０として実現されてもよい。車両モジュール１７４２は、車両データ(例えば車速、エンジン速度、故障情報)を生成し、生成されたデータを車のネットワーク１７４１に出力する。
【０２２２】
以上、本開示の好ましい実施例について図面を参照して説明したが、本開示はもちろん、上記の例示に限定されるものではない。当業者であれば、添付の請求項の範囲で様々な修正及び変更が可能であり、これらの修正及び変更も本開示の技術的範囲内に含まれると理解されるべきである。
【０２２３】
例えば、以上の実施例では、１つのユニットに含まれる複数の機能は、別々の装置によって実現することができる。その代わり、以上の実施例では、複数のユニットによって実現される複数の機能はそれぞれ、別々の装置によって実現することができる。また、以上の機能のうち１つは複数のユニットによって実現することができる。そのような構成は、本開示の技術的範囲に含まれることは言うまでもない。
【０２２４】
本明細書では、フローチャートに示されるステップには、前記順序が時系列に沿って実行される処理だけでなく、必ずしも時系列ではなく並列的又は独立して実行される処理も含まれる。また、時系列で処理されるステップでも、当該順序を入れ替えてもよいことは言うまでもない。
【０２２５】
本開示及びその利点について既に詳細に説明したが、添付の請求項によって限定される本開示の精神及び範囲から逸脱することがなく、様々な修正、置換及び変更が可能であると理解すべきである。そして、本開示の実施例の用語「含む」、「含まれる」又はそのいかなる他の変形は、非排他的な包含を含むことを意味することで、一連の要素を含むプロセス、方法、物品、又はデバイスは、それらの要素を含むだけではなく、明確に記載されていない他の要素をさらに含み、或いは、このようなプロセス、方法、物品、又はデバイスに固有する要素をさらに含む。また、より多い制限が存在しない場合、「...を一つ含む」という文によって限定される要素は、前記要素を含むプロセス、方法、物品又はデバイスに他の同じ要素がさらに含まれることを排除しない。
【図１】
2021508967.tif 000004
【図２】
2021508967.tif 000005
【図３】
2021508967.tif 000006
【図４】
2021508967.tif 000007
【図５】
2021508967.tif 000008
【図６】
2021508967.tif 000009
【図７】
2021508967.tif 000010
【図８】
2021508967.tif 000011
【図９】
2021508967.tif 000012
【図１０】
2021508967.tif 000013
【図１１】
2021508967.tif 000014
【図１２】
2021508967.tif 000015
【図１３】
2021508967.tif 000016
【図１４】
2021508967.tif 000017
【図１５】
2021508967.tif 000018
【図１６】
2021508967.tif 000019
【図１７】
2021508967.tif 000020
【図１８】
2021508967.tif 000021
【図１９】
2021508967.tif 000022
【図２０】
2021508967.tif 000023
【図２１】
2021508967.tif 000024
【図２２】
2021508967.tif 000025
【図２３】
2021508967.tif 000026
【図２４】
2021508967.tif 000027
【図２５】
2021508967.tif 000028
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
無線通信システムにおける装置であって、
前記装置は、処理回路を含み、
前記処理回路は、
少なくともリソース集合配置情報、物理チャネル情報及びサービスタイプ情報のうち１つ又は複数に基づいて、サイドリンク通信に使用される１つ又は複数のパラメータセットの配置情報を確定し、
前記１つ又は複数のパラメータセットの配置情報をユーザー装置に送信するように基地局を制御して、前記ユーザー装置が前記１つ又は複数のパラメータセットに基づいて前記サイドリンク通信を実行するようにする、
ように配置され、
パラメータセットには、少なくともサブキャリア間隔及びサイクリックプレフィックスタイプが含まれる装置。
【請求項２】
前記処理回路はさらに、
前記１つ又は複数のパラメータセットの配置情報を上位層シグナリングに含めて、前記１つ又は複数のパラメータセットの配置情報を前記ユーザー装置に送信するように前記基地局を制御する、又は、
前記１つ又は複数のパラメータセットの配置情報を前記リソース集合配置情報に関連付けて前記ユーザー装置に送信するように前記基地局を制御する、
ように配置される請求項１に記載の装置。
【請求項３】
前記処理回路はさらに、
前記ユーザー装置からの少なくとも前記ユーザー装置の移動速度、チャネルビジー率、チャネル占用率及び前記サイドリンク通信のデータサービス優先度のうち１つ又は複数に関する情報に基づいて、前記１つ又は複数のパラメータセットから前記サイドリンク通信に使用されるパラメータセットを選択し、
選択されたパラメータセットを前記ユーザー装置に送信するように前記基地局を制御して、前記ユーザー装置が選択されたパラメータセットに基づいて前記サイドリンク通信を実行するようにする、
ように配置される請求項１に記載の装置。
【請求項４】
前記処理回路はさらに、
選択されたパラメータセットを物理層シグナリングに含めて、選択されたパラメータセットを前記ユーザー装置に送信するように前記基地局を制御する、又は、
前記サイドリンク通信がキャリアアグリゲーション通信である場合に、前記キャリアアグリゲーション通信における各コンポーネントキャリアに対して、前記１つ又は複数のパラメータセットからパラメータセットを選択する、
ように配置される請求項３に記載の装置。
【請求項５】
前記サイドリンク通信のデータサービス優先度に関する情報は、前記ユーザー装置からのリソース配置要求に含まれる、
請求項３に記載の装置。
【請求項６】
前記サイドリンク通信には、少なくとも車両のインターネット通信、装置間通信、マシン型通信、ドローン通信及びキャリアアグリゲーション通信が含まれる、
請求項１に記載の装置。
【請求項７】
パラメータセットには、サブフレーム内のタイムスロットの数、タイムスロット内のＯＦＤＭシンボルの数、及びフレーム内のタイムスロットの数のうち１つ又は複数がさらに含まれる、
請求項１に記載の装置。
【請求項８】
前記装置は、前記基地局として機能し、前記装置は、通信動作を実行するように配置される通信ユニットをさらに含む、
請求項１〜７のいずれか１項に記載の装置。
【請求項９】
無線通信システムにおける装置であって、
前記装置は、処理回路を含み、
前記処理回路は、
サイドリンク通信に使用される１つ又は複数のパラメータセットを取得し、
前記１つ又は複数のパラメータセットに基づいて前記サイドリンク通信を実行するようにユーザー装置を制御する、
ように配置され、
前記１つ又は複数のパラメータセットは、基地局からの配置情報に基づいて確定されるか又は予め配置されており、パラメータセットには少なくともサブキャリア間隔及びサイクリックプレフィックスタイプが含まれる装置。
【請求項１０】
前記処理回路さらに、前記基地局からの前記１つ又は複数のパラメータセットの配置情報を含む上位層シグナリングを復号化することによって前記１つ又は複数のパラメータセットを取得するように配置され、
前記１つ又は複数のパラメータセットは、前記基地局が少なくともリソース集合配置情報、物理チャネル情報及びサービスタイプ情報のうち１つ又は複数に基づいて確定する、
請求項９に記載の装置。
【請求項１１】
前記処理回路はさらに、
少なくとも前記ユーザー装置の移動速度、チャネルビジー率、チャネル占用率及び前記サイドリンク通信のデータサービス優先度のうち１つ又は複数に関する情報を前記基地局に送信するように前記ユーザー装置を制御して、前記基地局により当該情報に基づいて前記１つ又は複数のパラメータセットから前記サイドリンク通信に使用されるパラメータセットを選択するようにし、
前記基地局によって選択されたパラメータセットに基づいて前記サイドリンク通信を実行するように前記ユーザー装置を制御する、
ように配置される請求項１０に記載の装置。
【請求項１２】
前記処理回路はさらに、
前記基地局からの物理層シグナリングを復号化することによって、前記基地局によって選択されたパラメータセットを取得する、
ように配置される請求項１１に記載の装置。
【請求項１３】
前記処理回路はさらに、
少なくとも前記ユーザー装置の移動速度、チャネルビジー率、チャネル占用率及び前記サイドリンク通信のデータサービス優先度のうち１つ又は複数に関する情報に基づいて、前記１つ又は複数のパラメータセットから前記サイドリンク通信に使用されるパラメータセットを選択し、
選択されたパラメータセットに基づいて前記サイドリンク通信を実行するように前記ユーザー装置を制御する、
ように配置される請求項９又は１０に記載の装置。
【請求項１４】
前記処理回路はさらに、
前記１つ又は複数のパラメータセットが予め配置される場合に、少なくともリソース集合配置情報、物理チャネル情報及びサービスタイプ情報のうち１つ又は複数にも基づいて、前記１つ又は複数のパラメータセットから前記サイドリンク通信に使用されるパラメータセットを選択し、
前記サイドリンク通信に関する他の装置の関連情報にも基づいて、前記１つ又は複数のパラメータセットから前記サイドリンク通信に使用される前記パラメータセットを選択する、又は、
前記サイドリンク通信がキャリアアグリゲーション通信である場合に、前記キャリアアグリゲーション通信における各コンポーネントキャリアに対して、前記１つ又は複数のパラメータセットからパラメータセットを選択する、
ように配置される請求項１３に記載の装置。
【請求項１５】
前記処理回路はさらに、
選択されたパラメータセットをサイドリンク制御情報に含めて、前記サイドリンク制御情報を他の装置に送信するように前記ユーザー装置を制御する、
ように配置される請求項１１〜１４のいずれか１項に記載の装置。
【請求項１６】
前記処理回路はさらに、
他の装置からのサイドリンク制御情報を復号化することによって、他の装置がサイドリンク通信に使用するパラメータセットを取得し、
取得された前記他の装置のパラメータセットに基づいて、前記他の装置からの情報を受信するように前記ユーザー装置を制御する、
ように配置される請求項９に記載の装置。
【請求項１７】
前記サイドリンク通信には、少なくとも車両のインターネット通信、装置間通信、マシン型通信、ドローン通信及びキャリアアグリゲーション通信がさらに含まれる、
請求項９に記載の装置。
【請求項１８】
パラメータセットには、サブフレーム内のタイムスロットの数、タイムスロット内のＯＦＤＭシンボルの数及びフレーム内のタイムスロットの数のうち１つ又は複数がさらに含まれる、
請求項９に記載の装置。
【請求項１９】
前記装置は前記ユーザー装置として機能し、前記装置は、通信動作を実行するように配置される通信ユニットをさらに含む、
請求項９に記載の装置。
【請求項２０】
無線通信システムにおける方法であって、
サイドリンク通信に使用される１つ又は複数のパラメータセットを取得することと、
前記１つ又は複数のパラメータセットに基づいて前記サイドリンク通信を実行するようにユーザー装置を制御することと、
を含み、
前記１つ又は複数のパラメータセットは基地局からの配置情報に基づいて確定されるか又は予め配置されており、パラメータセットには少なくともサブキャリア間隔及びサイクリックプレフィックスタイプが含まれる方法。
【国際調査報告】
2021508967.tif 000029
2021508967.tif 000030
2021508967.tif 000031
2021508967.tif 000032